(57)【要約】  システム、方法、デバイス、およびコンピュータプログラム製品は、フェムトプロキシアーキテクチャ内の帯域外ピコネット上でアクセス端末の取り扱うために説明される。フェムトセル（フェムトアクセスポイント、またはＦＡＰ）およびフェムトプロキシシステムは１つまたは複数の帯域外（ＯＯＢ）プロキシを含む。ＯＯＢプロキシのうちの１つは、ＯＯＢピコネットのマスタとして動作するように構成され、ＯＯＢピコネットのマスタを通じて、フェムトプロキシシステムのフェムトセル動作をサポートするサービスを含む、様々なサービスが提供される。ＯＯＢピコネットは、フェムトセルを通じて提供されるマクロ通信サービスに対してより小さい電力アクセスを容易にするように使用される。いくつかの場合において、接続されたまたはインアクティブのＯＯＢ接続モードの組み合わせは、ピコネット上でスレーブアクセス端末の拡張された数をサポートするために使用される。ここで、それらスレーブのいくつかは、アクティブなＷＷＡＮモードにおいて動作し、他は、アイドルＷＷＡＮモードにおいて動作する。例えば、パークモードは、アイドルのＷＷＡＮモードアクセス端末のために使用される。
2013538537.tif 000002
【特許請求の範囲】
【請求項１】
フェムトプロキシアーキテクチャを使用して、クライアントセットを拡張するための方法であって、
フェムトプロキシシステムと通信可能に接続された複数のアクセス端末のうちの指定された１つのための前記フェムトプロキシシステムでワイヤレス広域エリアネットワーク（ＷＷＡＮ）通信を受信することと、ここで、前記フェムトプロキシシステムは、
前記ＷＷＡＮと前記アクセス端末を通信可能に接続するように構成されたフェムトセルと、ここで、前記アクセス端末は、ＷＷＡＮアクティブモードまたはＷＷＡＮアイドルモードにおいて前記ＷＷＡＮ上で動作するように構成される、
ピコネットのマスタとして帯域外（ＯＯＢ）フェムトプロキシを有する前記ピコネットと前記複数のアクセス端末を通信可能に接続するように構成される前記ＯＯＢフェムトプロキシと
を備え、前記アクセス端末は、ＯＯＢ接続モードまたはＯＯＢインアクティブモードにおいてピコネット上で動作するように構成される、
前記フェムトプロキシシステムで通信情報を受信した後で、前記指定されたアクセス端末が前記フェムトプロキシシステムおよび前記指定されたアクセス端末の間のインアクティブなＯＯＢ物理通信リンクを備える前記ＯＯＢインアクティブモードにおいて動作することを決定することと、
前記指定されたアクセス端末に前記ＯＯＢにおいて動作するように指示することと、
前記フェムトプロキシシステムおよび前記指定されたアクセス端末の間のアクティブなＯＯＢ物理通信リンクを確立することと
を備える、方法。
【請求項２】
前記アクティブＯＯＢ物理通信リンクを通じて前記フェムトプロキシシステムから前記指定されたアクセス端末に前記通信情報を配信することをさらに備える、
請求項１に記載の方法。
【請求項３】
所定の最大数のアクセス端末が前記ピコネット上で前記ＯＯＢ接続モードにおいて現在動作しているかどうか決定することを備え、前記指定されたアクセス端末に前記ＯＯＢ接続モードステップにおいて動作するように前記指示することは、前記所定の最大数のアクセス端末が前記ＯＯＢ接続モードにおいて現在動作していない場合に実行される、
請求項３に記載の方法。
【請求項４】
前記所定の最大数のアクセス端末が前記ＯＯＢ接続モードにおいて現在動作している場合、
前記ＯＯＢ接続モードおよび前記ＷＷＡＮアイドルモードの両方において現在動作している前記アクセス端末のうちの１つを識別することと、
前記所定の最大数のアクセス端末が前記ＯＯＢ接続モードにおいて現在動作していないように、前記アクセス端末のうちの前記識別された１つに前記ＯＯＢインアクティブモードにおいて動作するように指示することと、
前記所定の最大数のアクセス端末が前記ＯＯＢ接続モードにおいて現在動作していない場合、前記指定されたアクセス端末に前記ＯＯＢ接続において動作するように指示することと
をさらに備える、請求項３に記載の方法。
【請求項５】
前記ピコネット上で前記ＯＯＢ接続モードにおいて現在動作している前記所定の最大数のアクセス端末は、前記ピコネット上でＯＯＢ接続モードのアクセス端末のために利用可能な最大数のアドレスに従って決定される、
請求項１に記載の方法。
【請求項６】
前記ＯＯＢフェムトプロキシは、前記ブルートゥースピコネットとして前記ピコネットを確立するように構成され、
前記ＯＯＢインアクティブモードは、ブルートゥースパークモードである、
請求項１に記載の方法。
【請求項７】
前記指定されたアクセス端末に前記ＯＯＢ接続モードにおいて動作するように指示することは、前記ＯＯＢフェムトプロキシから前記指定されたアクセス端末にアンパーク要求を送ることと、前記ＯＯＢフェムトプロキシで、前記アンパーク要求を受諾する前記指定されたアクセス端末からの応答を受信することとを備え、
前記フェムトプロキシシステムおよび前記指定されたアクセス端末の間の前記アクティブＯＯＢ物理通信リンクを確立することは、非同期接続−指向性リンク論理転送を確立することを備える、
請求項６に記載の方法。
【請求項８】
周期的な同期ウィンドウの間に前記ＯＯＢインアクティブモードにおいて動作する前記アクセス端末のセットを同期することをさらに備え、
前記セットは、前記指定されたアクセス端末を備え、前記指定されたアクセス端末は、前記周期的な同期ウィンドウの間前記ＯＯＢ接続モードにおいて動作するように指示される、
請求項１に記載の方法。
【請求項９】
前記アクセス端末は、前記ＯＯＢ接続モードにおいて動作する場合より前記ＯＯＢインアクティブモードにおいて動作する場合のほうがより低消費電力であるように構成される、
請求項１に記載の方法。
【請求項１０】
拡張されたクライアントセットを取り扱うためのフェムトプロキシシステムであって、前記システムは、
ワイヤレス広域エリアネットワーク（ＷＷＡＮ）とアクセス端末を通信可能に接続するように構成されたフェムトセルと、ここで、前記アクセス端末は、ＷＷＡＮアクティブモードまたはＷＷＡＮアイドルモードにおいて前記ＷＷＡＮ上で動作するように構成される、
ピコネットのマスタとして帯域外（ＯＯＢ）フェムトプロキシを有する前記ピコネットと前記複数のアクセス端末と通信可能に接続するように構成された前記ＯＯＢフェムトプロキシと、前記アクセス端末は、ＯＯＢ接続モードまたはＯＯＢインアクティブモードにおいて前記ピコネット上で動作するように構成される、
前記フェムトセルおよび前記ＯＯＢフェムトプロキシと通信可能に接続される通信管理サブシステムと
を備え、前記通信管理サブシステムは、
前記複数のアクセス端末のうちの指定された１つのためのＷＷＡＮ通信を受信し、
前記フェムトプロキシシステムで通信情報を受信した後で、前記指定されたアクセス端末が前記ＯＯＢフェムトプロキシおよび前記指定されたアクセス端末の間のインアクティブなＯＯＢ物理通信リンクを備える前記ＯＯＢインアクティブモードにおいて動作することを決定し、
前記指定されたアクセス端末に前記ＯＯＢにおいて動作するように指示し、
前記ＯＯＢフェムトプロキシおよび前記指定されたアクセス端末の間のアクティブなＯＯＢ物理通信リンクを確立する
ように構成される、フェムトプロキシシステム。
【請求項１１】
前記通信管理サブシステムは、
前記アクティブＯＯＢ物理通信リンクを通じて前記フェムトプロキシシステムから前記指定されたアクセス端末に前記通信情報を配信するようにさらに構成される、
請求項１０に記載のフェムトプロキシシステム。
【請求項１２】
前記通信管理サブシステムは、
所定の最大数のアクセス端末が前記ピコネット上で前記ＯＯＢ接続モードにおいて現在動作しているかどうか決定するようにさらに構成され、
前記指定されたアクセス端末は、前記所定の最大数のアクセス端末が前記ＯＯＢ接続モードにおいて現在動作していない場合に前記ＯＯＢ接続モードステップにおいて動作するように前記指示される、
請求項１０に記載のフェムトプロキシシステム。
【請求項１３】
前記通信管理サブシステムは、
前記所定の最大数のアクセス端末が前記ＯＯＢ接続モードにおいて現在動作している場合、
前記ＯＯＢ接続モードおよび前記ＷＷＡＮアイドルモードの両方において現在動作している前記アクセス端末のうちの１つを識別し、
前記所定の最大数のアクセス端末が前記ＯＯＢ接続モードにおいて現在動作していないように、前記アクセス端末のうちの前記識別された１つに前記ＯＯＢインアクティブモードにおいて動作するように指示し、
前記所定の最大数のアクセス端末が前記ＯＯＢ接続モードにおいて現在動作していない場合、前記指定されたアクセス端末に前記ＯＯＢ接続において動作するように指示する
ようにさらに構成される、請求項１２に記載のフェムトプロキシシステム。
【請求項１４】
前記ピコネット上で前記ＯＯＢ接続モードにおいて現在動作している前記所定の最大数のアクセス端末は、前記ピコネット上でＯＯＢ接続モードのアクセス端末のために利用可能な最大数のアドレスに従って決定される、
請求項１０に記載のフェムトプロキシシステム。
【請求項１５】
前記ＯＯＢフェムトプロキシは、前記ブルートゥースピコネットとして前記ピコネットを確立するように構成され、
前記ＯＯＢインアクティブモードは、ブルートゥースパークモードである、
請求項１０に記載のフェムトプロキシシステム。
【請求項１６】
前記通信管理サブシステムは、前記ＯＯＢフェムトプロキシから前記指定されたアクセス端末にアンパーク要求を送ることと、前記ＯＯＢフェムトプロキシで、前記アンパーク要求を受諾する前記指定されたアクセス端末からの応答を受信することとによって前記指定されたアクセス端末に前記ＯＯＢ接続モードにおいて動作するように指示するように構成され、
前記通信管理サブシステムは、非同期接続−指向性リンク論理転送を確立することによって前記フェムトプロキシシステムおよび前記指定されたアクセス端末の間の前記アクティブＯＯＢ物理通信リンクを確立するように構成される、
請求項１５に記載のフェムトプロキシシステム。
【請求項１７】
前記フェムトプロキシシステムは、
周期的な同期ウィンドウの間に前記ＯＯＢインアクティブモードにおいて動作する前記アクセス端末のセットを同期するようにさらに構成され、
前記セットは、前記指定されたアクセス端末を備え、前記指定されたアクセス端末は、前記周期的な同期ウィンドウの間前記ＯＯＢ接続モードにおいて動作するように指示される、
請求項１０に記載のフェムトプロキシシステム。
【請求項１８】
拡張されたクライアントセットを取り扱うためのフェムトプロキシシステムであって、
ワイヤレス広域エリアネットワーク（ＷＷＡＮ）と複数のアクセス端末を通信可能に接続するように構成されたフェムトセルと、ここで、前記アクセス端末は、ＷＷＡＮアクティブモードまたはＷＷＡＮアイドルモードにおいて前記ＷＷＡＮ上で動作するように構成される、
ピコネットのマスタとして帯域外（ＯＯＢ）フェムトプロキシを有する前記ピコネットと前記複数のアクセス端末を通信可能に接続するように構成された前記ＯＯＢフェムトプロキシと、ここで、前記アクセス端末は、ＯＯＢ接続モードまたはＯＯＢインアクティブモードにおいて前記ピコネット上で動作するように構成される、
前記複数のアクセス端末のうちの指定された１つのためのＷＷＡＮ通信情報を受信するための手段と、
前記フェムトプロキシシステムで通信情報を受信した後で、前記指定されたアクセス端末が前記ＯＯＢフェムトプロキシおよび前記指定されたアクセス端末の間のインアクティブなＯＯＢ物理通信リンクを備える前記ＯＯＢインアクティブモードにおいて動作することを決定するための手段と、
前記指定されたアクセス端末に前記ＯＯＢにおいて動作するように指示するための手段と、
前記ＯＯＢフェムトプロキシおよび前記指定されたアクセス端末の間のアクティブなＯＯＢ物理通信リンクを確立するための手段と、
を備える、フェムトプロキシシステム。
【請求項１９】
前記アクティブＯＯＢ物理通信リンクを通じて前記フェムトプロキシシステムから前記指定されたアクセス端末に前記通信情報を配信するための手段をさらに備える、
請求項１８に記載のフェムトプロキシシステム。
【請求項２０】
所定の最大数のアクセス端末が前記ピコネット上で前記ＯＯＢ接続モードにおいて現在動作しているかどうか決定するための手段を備え、
前記指定されたアクセス端末は、前記所定の最大数のアクセス端末が前記ＯＯＢ接続モードにおいて現在動作していない場合に前記ＯＯＢ接続モードステップにおいて動作するように指示される、
請求項１８に記載のフェムトプロキシシステム。
【請求項２１】
前記所定の最大数のアクセス端末が前記ＯＯＢ接続モードにおいて現在動作している場合、
前記ＯＯＢ接続モードおよび前記ＷＷＡＮアイドルモードの両方において現在動作している前記アクセス端末のうちの１つを識別するための手段と、
前記所定の最大数のアクセス端末が前記ＯＯＢ接続モードにおいて現在動作していないように、前記アクセス端末のうちの前記識別された１つに前記ＯＯＢインアクティブモードにおいて動作するように指示するための手段と
を備え、前記指定されたアクセス端末は、前記所定の最大数のアクセス端末が前記ＯＯＢ接続モードにおいて現在動作していない場合に前記ＯＯＢ接続において動作するように指示される
請求項２０に記載のフェムトプロキシシステム。
【請求項２２】
前記ピコネット上で前記ＯＯＢ接続モードにおいて現在動作している前記所定の最大数のアクセス端末は、前記ピコネット上でＯＯＢ接続モードのアクセス端末のために利用可能な最大数のアドレスに従って決定される、
請求項１８に記載のフェムトプロキシシステム。
【請求項２３】
前記ＯＯＢフェムトプロキシは、前記ブルートゥースピコネットとして前記ピコネットを確立するように構成され、
前記ＯＯＢインアクティブモードは、ブルートゥースパークモードである、
請求項１８に記載のフェムトプロキシシステム。
【請求項２４】
前記指定されたアクセス端末に前記ＯＯＢ接続モードにおいて動作するように指示するための手段は、前記ＯＯＢフェムトプロキシから前記指定されたアクセス端末にアンパーク要求を送り、前記ＯＯＢフェムトプロキシで、前記アンパーク要求を受諾する前記指定されたアクセス端末からの応答を受信するように構成され、
前記フェムトプロキシシステムおよび前記指定されたアクセス端末の間の前記アクティブＯＯＢ物理通信リンクを確立するための手段は、非同期接続−指向性リンク論理転送を確立することを備える、
請求項２３に記載のフェムトプロキシシステム。
【請求項２５】
周期的な同期ウィンドウの間前記ＯＯＢインアクティブモードにおいて動作する前記アクセス端末のセットを同期するための手段をさらに備え、
前記セットは、前記指定されたアクセス端末を備え、前記指定されたアクセス端末は、前記周期的な同期ウィンドウの間前記ＯＯＢ接続モードにおいて動作するように指示される、
請求項１８に記載のフェムトプロキシシステム。
【請求項２６】
拡張されたクライアントセットを取り扱うためのプロセッサであって、前記プロセッサは、ワイヤレス広域エリアネットワーク（ＷＷＡＮ）と複数のアクセス端末を通信可能に接続されるように構成されるフェムトセルと通信可能に接続され、前記プロセッサは、ピコネットのマスタとして帯域外（ＯＯＢ）フェムトプロキシを有する前記ピコネットと前記複数のアクセス端末を通信可能に接続するように構成された前記ＯＯＢフェムトプロキシと通信可能に接続され、前記アクセス端末は、ＯＯＢ接続モードまたはＯＯＢインアクティブモードにおいて前記ピコネット上で動作し、ＷＷＡＮアクティブモードまたはＷＷＡＮアイドルモードにおいて前記ＷＷＡＮ上で動作するように構成される、
前記複数のアクセス端末のうちの指定された１つのためのＷＷＡＮ通信情報を受信するように構成されたＷＷＡＮ通信制御器と、
前記フェムトプロキシシステムで前記通信情報を受信した後で、前記指定されたアクセス端末が前記ＯＯＢフェムトプロキシおよび前記指定されたアクセス端末の間のインアクティブなＯＯＢ物理通信リンクを備える前記ＯＯＢインアクティブモードにおいて動作することを決定し、
前記指定されたアクセス端末に前記ＯＯＢにおいて動作するように指示し、
前記ＯＯＢフェムトプロキシおよび前記指定されたアクセス端末の間のアクティブなＯＯＢ物理通信リンクを確立する、
ように構成されるアクセス端末制御器と
を備える、プロセッサ。
【請求項２７】
前記アクセス端末制御器は、
前記アクティブＯＯＢ物理通信リンクを通じて前記フェムトプロキシシステムから前記指定されたアクセス端末に前記通信情報を配信することをさらに備える、
請求項２６に記載のプロセッサ。
【請求項２８】
前記アクセス端末制御器は、
所定の最大数のアクセス端末が前記ピコネット上で前記ＯＯＢ接続モードにおいて現在動作しているかどうか決定するようにさらに構成され、前記指定されたアクセス端末は、前記所定の最大数のアクセス端末が前記ＯＯＢ接続モードにおいて現在動作していない場合に前記ＯＯＢ接続モードステップにおいて動作するように指示する、
請求項２６に記載のプロセッサ。
【請求項２９】
前記アクセス端末制御器は、
前記所定の最大数のアクセス端末が前記ＯＯＢ接続モードにおいて現在動作している場合、
前記ＯＯＢ接続モードおよび前記ＷＷＡＮアイドルモードの両方において現在動作している前記アクセス端末のうちの１つを識別し、
前記所定の最大数のアクセス端末が前記ＯＯＢ接続モードにおいて現在動作していないように、前記アクセス端末のうちの前記識別された１つに前記ＯＯＢインアクティブモードにおいて動作するように指示し、
前記所定の最大数のアクセス端末が前記ＯＯＢ接続モードにおいて現在動作していない場合、前記指定されたアクセス端末に前記ＯＯＢ接続において動作するように指示する
ようにさらに構成される、請求項２８に記載のプロセッサ。
【請求項３０】
前記ピコネット上で前記ＯＯＢ接続モードにおいて現在動作している前記所定の最大数のアクセス端末は、前記ピコネット上でＯＯＢ接続モードのアクセス端末のために利用可能な最大数のアドレスに従って決定される、
請求項２６に記載のプロセッサ。
【請求項３１】
前記ＯＯＢフェムトプロキシは、ブルートゥースピコネットとして前記ピコネットを確立するように構成され、
前記ＯＯＢインアクティブモードは、ブルートゥースパークモードである、
請求項２６に記載のプロセッサ。
【請求項３２】
前記アクセス端末制御器は、前記ＯＯＢフェムトプロキシから前記指定されたアクセス端末にアンパーク要求を送ることと、前記ＯＯＢフェムトプロキシで、前記アンパーク要求を受諾する前記指定されたアクセス端末からの応答を受信することとによって前記指定されたアクセス端末に前記ＯＯＢ接続モードにおいて動作するように指示するように構成される、
前記アクセス端末制御器は、非同期接続−指向性リンク論理転送を確立することによって前記フェムトプロキシシステムおよび前記指定されたアクセス端末の間の前記アクティブＯＯＢ物理通信リンクを確立するように構成される、
請求項３１に記載のプロセッサ
【請求項３３】
前記アクセス端末制御器は、
周期的な同期ウィンドウの間に前記ＯＯＢインアクティブモードにおいて動作する前記アクセス端末のセットを同期するようにさらに構成され、前記セットは、前記指定されたアクセス端末を備え、前記指定されたアクセス端末は、前記周期的な同期ウィンドウの間に前記ＯＯＢ接続モードにおいて動作するように指示される、
請求項２６に記載のプロセッサ。
【請求項３４】
プロセッサ可読媒体上に常駐し、プロセッサ可読命令を備えるコンピュータプログラム製品であって、プロセッサ可読命令が、実行されると、プロセッサに、
フェムトプロキシシステムと通信可能に接続された複数のアクセス端末のうちの指定された１つのための前記フェムトプロキシシステムでワイヤレス広域エリアネットワーク（ＷＷＡＮ）通信を受信することと、ここで、前記フェムトプロキシシステムは、
前記ＷＷＡＮと前記アクセス端末を通信可能に接続するように構成されたフェムトセルと、ここで、前記アクセス端末は、ＷＷＡＮアクティブモードまたはＷＷＡＮアイドルモードにおいて前記ＷＷＡＮ上で動作するように構成される、
ピコネットのマスタとして帯域外（ＯＯＢ）フェムトプロキシを有するピコネットと前記複数のアクセス端末を通信可能に接続するように構成された帯域外（ＯＯＢ）フェムトプロキシと
を備え、前記アクセス端末は、ＯＯＢ接続モードまたはＯＯＢインアクティブモードにおいてピコネット上で動作するように構成される、
前記フェムトプロキシシステムで前記通信情報を受信した後で、前記指定されたアクセス端末が前記フェムトプロキシシステムおよび前記指定されたアクセス端末の間のインアクティブなＯＯＢ物理通信リンクを備える前記ＯＯＢインアクティブモードにおいて動作することを決定することと、
前記指定されたアクセス端末に前記ＯＯＢにおいて動作するように指示することと、
前記フェムトプロキシシステムおよび前記指定されたアクセス端末の間のアクティブなＯＯＢ物理通信リンクを確立することと
備えるステップを実行させる、コンピュータプログラム製品。
【請求項３５】
前記プロセッサ可読命令が実行されるとプロセッサに、
前記アクティブＯＯＢ物理通信リンクを通じて前記フェムトプロキシシステムから前記指定されたアクセス端末に前記通信情報を配信することをさらに備えるステップを実行させる、
請求項３４に記載のコンピュータプログラム製品。
【請求項３６】
前記プロセッサ可読命令が実行されるとプロセッサに、
所定の最大数のアクセス端末が前記ピコネット上で前記ＯＯＢ接続モードにおいて現在動作しているかどうか決定することをさらに備えるステップを実行させ、前記指定されたアクセス端末に前記ＯＯＢ接続モードステップにおいて動作するように前記指示することは、前記所定の最大数のアクセス端末が前記ＯＯＢ接続モードにおいて現在動作していない場合に実行される、
請求項３４に記載のコンピュータプログラム製品。
【請求項３７】
前記プロセッサ可読命令が実行されるとプロセッサに、
前記所定の最大数のアクセス端末が前記ＯＯＢ接続モードにおいて現在動作している場合、
前記ＯＯＢ接続モードおよび前記ＷＷＡＮアイドルモードの両方において現在動作している前記アクセス端末のうちの１つを識別することと、
前記所定の最大数のアクセス端末が前記ＯＯＢ接続モードにおいて現在動作していないように、前記アクセス端末のうちの前記識別された１つに前記ＯＯＢインアクティブモードにおいて動作するように指示することと、
前記所定の最大数のアクセス端末が前記ＯＯＢ接続モードにおいて現在動作していない場合、前記指定されたアクセス端末に前記ＯＯＢ接続において動作するように指示することと
をさらに備えるステップを実行させる、請求項３６に記載のコンピュータプログラム製品。
【請求項３８】
前記ピコネット上で前記ＯＯＢ接続モードにおいて現在動作している前記所定の最大数のアクセス端末は、前記ピコネット上でＯＯＢ接続モードのアクセス端末のために利用可能な最大数のアドレスに従って決定される、
請求項３４に記載のコンピュータプログラム製品。
【請求項３９】
前記ＯＯＢフェムトプロキシは、ブルートゥースピコネットとして前記ピコネットを確立するように構成され、
前記ＯＯＢインアクティブモードは、ブルートゥースパークモードである、
請求項３４に記載のコンピュータプログラム製品。
【請求項４０】
前記指定されたアクセス端末に前記ＯＯＢ接続モードにおいて動作するように指示することは、前記ＯＯＢフェムトプロキシから前記指定されたアクセス端末にアンパーク要求を送ることと、前記ＯＯＢフェムトプロキシで、前記アンパーク要求を受諾する前記指定されたアクセス端末からの応答を受信することとを備え、
前記フェムトプロキシシステムおよび前記指定されたアクセス端末の間の前記アクティブＯＯＢ物理通信リンクを確立することは、非同期接続−指向性リンク論理転送を確立することを備える、
請求項３９に記載のコンピュータプログラム製品。
【請求項４１】
前記プロセッサ可読命令が実行されるとプロセッサに、
周期的な同期ウィンドウの間に前記ＯＯＢインアクティブモードにおいて動作する前記アクセス端末のセットを同期することをさらに備えるステップを実行させ、前記セットは、前記指定されたアクセス端末を備え、前記指定されたアクセス端末は、前記周期的な同期ウィンドウの間前記ＯＯＢ接続モードにおいて動作するように指示される、
請求項３４に記載のコンピュータプログラム製品。
【発明の詳細な説明】
【技術分野】
【０００１】
本開示は、一般に、ネットワーク通信に関し、より詳細には、例えば、フェムトプロキシアーキテクチャコンテキストにおいて、帯域外ピコネットのためのクライアントセットサイズを拡張することに関する。
【背景技術】
【０００２】
様々な形態のネットワークによって提供される情報通信は、今日、世界中で広く使用されている。たとえば、ボイスおよび／またはデータを搬送するために、ワイヤレスおよびワイヤラインリンクを使用して通信している複数のノードを有するネットワークが使用される。そのようなネットワークのノードは、コンピュータ、携帯情報端末（ＰＤＡ）、電話、サーバ、ルータ、スイッチ、マルチプレクサ、モデム、無線、アクセスポイント、基地局などであり得る。セルラーフォン、ＰＤＡ、ラップトップコンピュータなど、（ユーザ機器（ＵＥ）またはアクセス端末（ＡＴ）とも呼ばれる）多くのクライアントデバイスノードはモバイルであり、したがって、いくつかの異なるインターフェースを通してネットワークと接続し得る。
【０００３】
例えば、モバイルクライアントデバイスは、最近接の基地局、アクセスポイント、ワイヤレスルータなど（本明細書では一括してアクセスポイントと呼ぶ）を介してワイヤレスにネットワークと接続し得る。ある場合において、地理的に最近接のアクセスポイントを介して接続するのではなく、モバイルクライアントデバイスは、最良の信号品質を有するアクセスポイントを介してネットワークに接続し得る。モバイルクライアントデバイスは、たとえば、アクセスポイントとの関連付けが変更されたとき、通信セッションを維持するためまたはアイドルモード動作のために、セルラーハンドオフ技術または再選択技術を使用することによってなど、比較的長い時間期間の間そのようなアクセスポイントのサービスエリア内に滞在し得る（アクセスポイントに「留まっている（camped on）」と呼ばれる）、またはアクセスポイントサービスエリアを比較的迅速に移動し得る。
【０００４】
利用可能なスペクトル、帯域幅、容量などに関する制限は、特定のクライアントデバイスおよびアクセスポイントの間のネットワークインターフェースを利用不能または不適切にし得る。その上、シャドーイング、マルチパスフェージング、干渉など、ワイヤレス信号伝搬に関する制限は、特定のクライアントデバイスおよびアクセスポイントの間のネットワークインターフェースを利用不能または不適切にし得る。セルラーネットワークは、サービスエリア内で所望の帯域幅と、容量と、ワイヤレス通信カバレージとを提供するために、マクロセル、マイクロセル、ピコセル、およびフェムトセルなど、様々なセルタイプの使用を採用している。たとえば、フェムトセルの使用は、増加したネットワーク容量を提供し、バックホールのためにブロードバンドネットワーク容量を利用するために、しばしば、プアなネットワークカバレージのエリア（たとえば、建築物の内部）においてワイヤレス通信を提供するのに望ましい。
【０００５】
モバイルクライアントデバイスは、概して、それらの高度モバイル動作を容易にするために、小さいバッテリなど、内部電源を使用して動作する。しかしながら、フェムトセルシステム選択を提供する一般的な動作は、モバイルクライアントデバイスによって利用される電力にかなりの影響を及ぼす。一般的な使用シナリオにおいて、範囲内で利用可能なフェムトセル、交渉リンクなどを探索することは、しばしば、内部電源から利用可能なモバイルクライアントデバイスの待機時間動作をほぼ１０％削減する結果となる。たとえば、モバイルクライアントデバイスが適切なフェムトセルがモバイルクライアントデバイスの範囲内にあるか否かをフェムトセルに対して探索し続ける結果として、内部電源は、相当消耗し得る。
【発明の概要】
【０００６】
本開示は、フェムトプロキシアーキテクチャ内で帯域外ピコネット上のアクセス端末を取り扱うシステムおよび方法を対象とする。フェムトプロキシシステムは、フェムトセル（フェムトアクセスポイント、またはＦＡＰ）および１つまたは複数の帯域外（ＯＯＢ）プロキシを含む。フェムトプロキシシステムの１つまたは複数のＯＯＢプロキシは、様々な実施に従ってＦＡＰと統合される、または統合され得ない（例えば、１つまたは複数のＯＯＢプロキシがＦＡＰと通信するスタンドアロンデバイスとして実施され得る）にもかかわらず、それらは、一般的にＦＡＰに近接する位置にいる。
【０００７】
ＯＯＢプロキシのうちの１つは、ＯＯＢピコネットのマスタとして動作するように構成され、ＯＯＢピコネットのマスタを通じてフェムトプロキシシステムのフェムト動作をサポートするサービスを含む、様々なサービスが提供される。例えば、ＯＯＢピコネットは、フェムトセルを通じて提供されるマクロ通信サービスに対してより低い電力アクセスを容易にするために使用される。ある場合において、接続されたＯＯＢ動作モードおよびインアクティブなＯＯＢ動作モードの組み合わせは、ピコネット上の拡張された数のスレーブアクセス端末をサポートするために使用される。ここで、それらのスレーブのうちのいくつかは、アクティブなワイヤレス広域ネットワーク（ＷＷＡＮ）モードにおいて動作し、他のものは、アイドルのＷＷＡＮモードで動作している。例えば、パークされたＯＯＢモード（parked OOB mode）は、アイドルのＷＷＡＮモードアクセス端末のために使用され得る。
【０００８】
フェムトプロキシアーキテクチャを使用するクライアントセットを拡張するための例示的な方法は、フェムトプロキシシステムと通信可能に接続された多数のアクセス端末のうちの指定された１つのためにフェムトプロキシシステムでＷＷＡＮ通信情報を受信することを含み、フェムトプロキシシステムは、アクセス端末をＷＷＡＮと通信可能に接続するように構成されるフェムトセルと、ここで、ＷＷＡＮアクティブモードまたはＷＷＡＮアイドルモードにおいてＷＷＡＮ上で動作するように構成される、アクセス端末を、そのマスタとしてＯＯＢフェムトプロキシを有するピコネットと通信可能に接続するように構成されるＯＯＢフェムトプロキシとを含み、アクセス端末は、ＯＯＢ接続モードまたはＯＯＢインアクティブモードにおいてピコネットにおいて動作するように構成される。例示的な方法は、フェムトプロキシシステムで通信を受信した後、指定されたアクセス端末がフェムトプロキシシステムおよび指定されたアクセス端末の間のインアクティブなＯＯＢ物理通信リンクを備えるＯＯＢインアクティブモードにおいて動作することを決定することと、ＯＯＢ接続モードにおいて動作するように指定されたアクセス端末に指示することと、フェムトプロキシシステムおよび指定されたアクセス端末の間のアクティブなＯＯＢ物理通信リンクを確立することとを含む。そのような方法の実施形態は、アクティブなＯＯＢ物理通信リンクを通じてフェムトプロキシシステムから指定されたアクセス端末に通信情報をさらに配信し得る。
【０００９】
そのような方法の実施形態は、所定の最大数のアクセス端末がピコネット上でＯＯＢ接続モードにおいて現在動作しているかどうか決定することを含む。ここで、指定されたアクセス端末にＯＯＢ接続モードステップにおいて動作するように指示することは、所定の最大数のアクセス端末がＯＯＢ接続モードにおいて現在動作していない場合に実行される。さらにまたは代替として、そのような方法の実施形態は、アクセス端末所定の最大数がＯＯＢ接続モードにおいて現在動作する場合、ＯＯＢ接続モードおよびＷＷＡＮアイドルモードの間において現在動作するアクセス端末のうちの１つを識別することと、たとえば、所定の最大数のアクセス端末がＯＯＢ接続モードにおいて現在動作していないような、アクセス端末のうちの識別された１つにＯＯＢインアクティブモードにおいて動作するように指示することと、所定の最大数のアクセス端末がＯＯＢ接続モードにおいて現在動作していない場合に、指定されたアクセス端末にＯＯＢ接続モードにおいて動作するように指示することとをさらに含む。さらにまたは代替として、そのような方法の実施形態は、周期的な同期ウィンドウの間にＯＯＢインアクティブモードにおいて動作するアクセス端末のセットを同期させることをさらに含む。ここで、そのセットは、指定されたアクセス端末を備え、指定されたアクセス端末は、周期的な同期ウィンドウの間にＯＯＢ接続モードにおいて動作するように指示される。
【００１０】
ある場合において、ピコネット上でＯＯＢ接続モードにおいて現在動作している所定の最大数のアクセス端末が、ピコネット上でＯＯＢ接続モードのアクセス端末のために利用可能な最大数のアドレスに従って決定される。さらに、ある場合において、ＯＯＢフェムトプロキシは、ブルートゥース（Bluetooth（登録商標））ピコネットとしてピコネットを確立するように構成され、ＯＯＢインアクティブモードは、ブルートゥースパークモードである。さらに、ある場合において、指定されたアクセス端末にＯＯＢ接続モードにおいて動作するように指示することは、ＯＯＢフェムトプロキシから指定されたアクセス端末にアンパーク（unpark）要求を送ることと、ＯＯＢフェムトプロキシで、アンパーク要求を受諾する指定されたアクセス端末からの応答を受信することとを含み、フェムトプロキシシステムおよび指定されたアクセス端末の間のアクティブなＯＯＢ物理通信リンクを確立することは、非同期接続−指向性リンク論理転送を確立することを含む。さらに、ある場合において、アクセス端末は、ＯＯＢ接続モードにおいて動作する場合よりＯＯＢインアクティブモードにおいて動作する場合のほうがより低い電力消費をするように構成される。
【００１１】
拡張クライアントセットを取り扱うための例示的なフェムトプロキシシステムは、ＷＷＡＮで多くのアクセス端末と通信可能に接続されるように構成されるフェムトセルと、ここで、アクセス端末は、ＷＷＡＮアクティブモードまたはＷＷＡＮアイドルモードにおいてＷＷＡＮ上で動作するように構成される、フェムトセルと通信可能に接続され、そのマスタとしてＯＯＢフェムトプロキシを有するピコネットでアクセス端末と通信可能に接続されるように構成されるＯＯＢフェムトプロキシと、ここで、アクセス端末は、ＯＯＢ接続モードまたはＯＯＢインアクティブモードにおいてピコネット上で動作するように構成される、フェムトセルおよびＯＯＢフェムトプロキシと通信可能に接続される、通信管理サブシステムとを含む。通信管理サブシステムは、アクセス端末のうちの指定された１つのためのＷＷＡＮ通信情報を受信し、フェムトプロキシシステムで通信情報を受信した後で、指定されたアクセス端末がＯＯＢフェムトプロキシおよび指定されたアクセス端末の間のインアクティブなＯＯＢ物理通信リンクを備えるＯＯＢインアクティブモードにおいて動作していることを決定し、指定されたアクセス端末にＯＯＢ接続モードにおいて動作するように指示し、ＯＯＢフェムトプロキシおよび指定されたアクセス端末の間のアクティブＯＯＢ物理通信リンクを確立するように構成される。
【００１２】
さらにまたは代替として、通信管理サブシステムの実施形態は、アクティブなＯＯＢ物理通信リンクを通じてフェムトプロキシシステムから指定されたアクセス端末に通信情報を配信する。通信管理サブシステムは、所定の最大数のアクセス端末がピコネット上でＯＯＢ接続モードにおいて現在動作するかどうかをさらにまたは代替として決定し得る。ここで、指定されたアクセス端末は、所定の最大数のアクセス端末がＯＯＢ接続モードにおいて現在動作していない場合にＯＯＢ接続モードステップにおいて動作するように指示される。さらにまたは代替として、通信管理サブシステムの実施形態は、所定の最大数のアクセス端末がＯＯＢ接続モードにおいて現在動作する場合、ＯＯＢ接続モードおよびＷＷＡＮアイドルモードの間において現在動作するアクセス端末のうちの１つを識別し、所定の最大数のアクセス端末がＯＯＢ接続モードで現在動作していないように、アクセス端末のうちの識別された１つにＯＯＢインアクティブモードにおいて動作するように指示し、所定の最大数のアクセス端末がＯＯＢ接続モードにおいて現在動作していない場合に指定されたアクセス端末にＯＯＢ接続モードにおいて動作するように指示する。
【００１３】
さらにまたは代替として、そのような通信管理サブシステムの実施形態は、周期的な同期ウィンドウの間にＯＯＢインアクティブモードにおいて動作するアクセス端末のセットを同期させる。ここで、そのセットは、指定されたアクセス端末を備え、指定されたアクセス端末は、周期的なの同期ウィンドウの間にＯＯＢ接続モードにおいて動作するように指示される。さらにまたは代替として、通信管理サブシステムの実施形態は、ＯＯＢフェムトプロキシから指定されたアクセス端末にアンパーク（unpark）要求を送ることと、ＯＯＢフェムトプロキシで、アンパーク要求を受諾する指定されたアクセス端末からの応答を受信することとによって指定されたアクセス端末にＯＯＢ接続モードにおいて動作するように指示し、非同期接続−指向性リンク論理転送を確立することによってフェムトプロキシシステムおよび指定されたアクセス端末の間のアクティブＯＯＢ物理通信リンクを確立する。
【００１４】
拡張クライアントセットを取り扱うための別の例示的なフェムトプロキシシステムは、ＷＷＡＮと多くのアクセス端末を通信可能に接続されるように構成されるフェムトセルと、ここでアクセス端末は、ＷＷＡＮアクティブモードまたはＷＷＡＮアイドルモードにおいてＷＷＡＮ上で動作するように構成される、フェムトセルと通信可能に接続され、そのマスタとしてＯＯＢフェムトプロキシを有するピコネットとアクセス端末を通信可能に接続するように構成されるＯＯＢフェムトプロキシと、ここで、アクセス端末は、ＯＯＢ接続モードまたはＯＯＢインアクティブモードにおいてピコネット上で動作するように構成される、アクセス端末のうちの指定された１つのためのＷＷＡＮ通信情報を受信するための手段と、フェムトプロキシシステムで通信情報を受信した後で、指定されたアクセス端末がＯＯＢフェムトプロキシおよび指定されたアクセス端末の間のインアクティブＯＯＢ物理通信リンクを備えるＯＯＢインアクティブモードにおいて動作していることを決定するための手段と、指定されたアクセス端末にＯＯＢ接続モードにおいて動作するようい指示するための手段と、ＯＯＢフェムトプロキシおよび指定されたアクセス端末の間のアクティブＯＯＢ物理通信リンクを確立するための手段とを含む。
【００１５】
さらにまたは代替として、そのようなフェムトプロキシシステムの実施形態は、アクティブＯＯＢ物理通信リンクを通じてフェムトプロキシシステムから指定されたアクセス端末に通信情報を配信するための手段をさらに含む。さらにまたは代替として、そのようなフェムトプロキシシステムの実施形態は、所定の最大数のアクセス端末がピコネット上でＯＯＢ接続モードにおいて現在動作しているかどうか決定するための手段を含む。ここで、指定されたアクセス端末は、所定の最大数のアクセス端末がＯＯＢ接続モードにおいて現在動作していない場合にＯＯＢ接続モードステップにおいて動作するように指示される。さらにまたは代替として、そのようなフェムトプロキシシステムの実施形態は、所定の最大数のアクセス端末がＯＯＢ接続モードにおいて現在動作する場合、ＯＯＢ接続モードおよびＷＷＡＮアイドルモードの間で現在動作するアクセス端末のうちの１つを識別するための手段と、所定の最大数のアクセス端末がＯＯＢ接続モードにおいて現在動作していないように、ＯＯＢインアクティブモードにおいて動作するアクセス端末のうちの識別された１つを指示するための手段とをさらに含み、指定されたアクセス端末は、所定の最大数のアクセス端末がＯＯＢ接続モードにおいて現在動作していない場合にＯＯＢ接続モードにおいて動作するように指定される。
【００１６】
さらにまたは代替として、そのようなフェムトプロキシシステムの実施形態は、周期的な同期ウィンドウの間にＯＯＢインアクティブモードにおいて動作するアクセス端末のセットを同期させるための手段をさらに含む。ここで、そのセットは、指定されたアクセス端末を備え、指定されたアクセス端末は、周期的な同期ウィンドウの間にＯＯＢ接続モードにおいて動作するように指示される。ある場合において、ＯＯＢ接続モードにおいて動作する指定されたアクセス端末を指示するための手段は、ＯＯＢフェムトプロキシから指定されたアクセス端末にアンパーク（unpark）要求を送り、ＯＯＢフェムトプロキシで、アンパーク要求を受諾する指定されたアクセス端末からの応答を受信するように構成される、フェムトプロキシシステムおよび指定されたアクセス端末の間のアクティブＯＯＢ物理通信リンクを確立するための手段は、非同期接続−指向性リンク論理転送を確立するように構成される。
【００１７】
拡張されたクライアントセットを取り扱うための例示的なプロセッサは、ＷＷＡＮと多くのアクセス端末を通信可能に接続するように構成されるフェムトセルと通信可能に接続され、そのマスタとしてＯＯＢフェムトプロキシを有するピコネットとアクセス端末を通信可能に接続するように構成されるＯＯＢフェムトプロキシと通信可能に接続される。ここで、アクセス端末は、ＯＯＢ接続モードまたはＯＯＢインアクティブモードにおいてピコネット上で動作し、ＷＷＡＮアクティブモードまたはＷＷＡＮアイドルモードにおいてＷＷＡＮ上で動作するように構成される。そのような例示的なプロセッサは、複数のアクセス端末のうちの指定された１つのためにＷＷＡＮ通信情報を受信するように構成されるＷＷＡＮ通信制御器と、アクセス端末制御器とを含み、アクセス端末制御器は、フェムトプロキシシステムで通信情報を受信した後に、指定されたアクセス端末がＯＯＢフェムトプロキおよび指定されたアクセス端末の間のインアクティブなＯＯＢ物理通信リンクを備えるＯＯＢインアクティブモードにおいて動作することを決定し、指定されたアクセス端末にＯＯＢ接続モードにおいて動作するように指示し、ＯＯＢフェムトプロキシおよび指定されたアクセス端末の間のアクティブなＯＯＢ物理通信リンクを確立するように構成される。さらにまたは代替として、プロセッサの実施形態は、アクティブなＯＯＢ物理通信リンクを通じてフェムトプロキシシステムから指定されたアクセス端末に通信情報を配信する。
【００１８】
さらにまたは代替として、プロセッサの実施形態は、所定の最大数のアクセス端末がピコネット上でＯＯＢ接続モードにおいて現在動作しているかどうか決定することを含む。ここで、指定されたアクセス端末は、所定の最大数のアクセス端末がＯＯＢ接続モードで現在動作していない場合にＯＯＢ接続モードステップにおいて動作するように指示される。さらにまたは代替として、アクセス端末制御器の実施形態は、所定の最大数のアクセス端末がＯＯＢ接続モードで現在動作する場合、ＯＯＢ接続モードおよびＷＷＡＮアイドルモードの間で現在動作するアクセス端末のうちの１つを識別し、所定の最大数のアクセス端末がＯＯＢ接続モードで現在動作していないような、ＯＯＢインアクティブモードで動作するアクセス端末のうちの識別された１つを指示し、所定の最大数のアクセス端末がＯＯＢ接続モードにおいて現在動作していない場合にＯＯＢ接続モードにおいて動作する指定されたアクセス端末を指示することとをさらに含む。
【００１９】
さらにまたは代替として、アクセス端末制御器の実施形態は、ＯＯＢフェムトプロキシから指定されたアクセス端末にアンパーク要求を送ることと、ＯＯＢフェムトプロキシで、アンパーク要求を受諾する指定されたアクセス端末からの応答を受信することとによって指定されたアクセス端末にＯＯＢ接続モードにおいて動作するように指示し、非同期接続−指向性リンク論理転送を確立することによってフェムトプロキシシステムと指定されたアクセス端末との間のアクティブＯＯＢ物理通信リンクを確立する。さらにまたは代替として、アクセス端末制御器の実施形態は、周期的な同期ウィンドウの間にＯＯＢインアクティブモードにおいて動作するアクセス端末のセットを同期させる。ここで、そのセットは、指定されたアクセス端末を備え、指定されたアクセス端末は、周期的な同期ウィンドウの間にＯＯＢ接続モードにおいて動作するように指示される。
【００２０】
例示的なコンピュータプログラム製品は、プロセッサ可読媒体に常駐し、実行される時にプロセッサに、フェムトプロキシシステムで、フェムトプロキシシステムと通信可能に接続される多くのアクセス端末のうちの指定された１つのためのＷＷＡＮ通信情報を受信させるプロセッサ可読命令を含む。フェムトプロキシシステムは、ＷＷＡＮとアクセス端末を通信可能に接続させるように構成されるフェムトセルと、ここで、アクセス端末は、ＷＷＡＮアクティブモードまたはＷＷＡＮアイドルモードにおいてＷＷＡＮ上で動作するように構成される、アクセス端末を、そのマスタとしてＯＯＢフェムトプロキシを有するピコネットと通信可能に接続するように構成されるＯＯＢフェムトプロキシとを含み、アクセス端末は、ＯＯＢ接続モードまたはＯＯＢインアクティブモードにおいてピコネット上で動作するように構成される。そのようなプロセッサ可読命令は、実行されるときに、プロセッサに、さらにフェムトプロキシシステムで通信情報を受信した後に、指定されたアクセス端末がフェムトプロキシシステムおよび指定されたアクセス端末の間のインアクティブなＯＯＢ物理通信リンクを備えるＯＯＢインアクティブモードにおいて動作することを決定させ、指定されたアクセス端末にＯＯＢ接続モードで動作するように指示し、フェムトプロキシシステムおよび指定されたアクセス端末の間のアクティブＯＯＢ物理通信リンクを確立させる。さらにまたは代替として、プロセッサ可読命令は、実行されるときに、プロセッサに、アクティブなＯＯＢ物理通信リンクを通じてフェムトプロキシシステムから指定されたアクセス端末に通信情報を配信させる。
【００２１】
さらにまたは代替として、プロセッサ可読命令の実施形態は、実行されるときに、プロセッサに、所定の最大数のアクセス端末がピコネット上でＯＯＢ接続モードにおいて現在動作しているかどうか決定させる。ここで、指定されたアクセス端末にＯＯＢ接続モードステップにおいて動作するように指示することは、所定の最大数のアクセス端末がＯＯＢ接続モードにおいて現在動作していない場合に実行される。さらにまたは代替として、プロセッサ可読命令の実施形態は、実行されたときに、プロセッサに、所定の最大数のアクセス端末がＯＯＢ接続モードにおいて現在動作する場合、ＯＯＢ接続モードおよびＷＷＡＮアイドルモードの間で現在動作するアクセス端末のうちの１つを識別させ、たとえば、所定の最大数のアクセス端末がＯＯＢ接続モードにおいて現在動作していないように、アクセス端末のうちの識別された１つにＯＯＢインアクティブモードにおいて動作するように指示させ、所定の最大数のアクセス端末がＯＯＢ接続モードにおいて現在動作していない場合に指定されたアクセス端末にＯＯＢ接続モードにおいて動作するように指示させる。
【００２２】
ある場合において、プロセッサ可読命令の実施形態は、実行されるときに、プロセッサに、ＯＯＢフェムトプロキシから指定されたアクセス端末にアンパーク要求を送ることと、ＯＯＢフェムトプロキシで、アンパーク要求を受諾する指定されたアクセス端末からの応答を受信することとによって指定されたアクセス端末にＯＯＢ接続モードにおいて動作するように指示させ、非同期接続−指向性リンク論理転送を確立することによってフェムトプロキシシステムおよび指定されたアクセス端末の間のアクティブＯＯＢ物理通信リンクを確立させる。さらにまたは代替として、プロセッサ可読命令の実施形態は、実行されるときに、プロセッサに、周期的な同期ウィンドウの間にＯＯＢインアクティブモードにおいて動作するアクセス端末のセットを同期させる。ここで、そのセットは、指定されたアクセス端末を備え、指定されたアクセス端末は、周期的な同期ウィンドウの間にＯＯＢ接続モードにおいて動作するように指示される。
【図面の簡単な説明】
【００２３】
本明細書の残りの部分および図面を参照すれば、本発明の性質および利点がさらに理解され得る。複数の図面全体にわたって同様の構成要素を指すのに同様の参照番号を使用する。場合によっては、複数の同様の構成要素のうちの１つを示すためにサブラベルを参照番号に関連づける。既存のサブラベルの特定なしに参照番号を参照するとき、参照番号はすべてのそのような複数の同様の構成要素のすべてを指すことが意図されている。
【図１】ワイヤレス通信システムのブロック図。
【図２Ａ】フェムトプロキシシステムを含む例示的なワイヤレス通信システムのブロック図。
【図２Ｂ】図２Ａに示したアーキテクチャとは異なるフェムトプロキシシステムのアーキテクチャを含む例示的なワイヤレス通信システムのブロック図。
【図３】通信管理サブシステムの機能性を実装するためのプロセッサモジュールの例示的な構成のブロック図。
【図４Ａ】ＣＤＭＡ  １Ｘ回線交換サービスネットワークと同様のレガシー回線サービスのための例示的なフェムトセルアーキテクチャに関する詳細を示す図。
【図４Ｂ】１ｘＥＶ−ＤＯ（ＨＲＰＤ）パケットデータサービスネットワークと同様のレガシーインターフェースを使用するパケットデータサービスアクセスのための例示的なフェムトセルアーキテクチャに関する詳細を示す図。
【図５】図１〜図４Ｂの通信システムおよびネットワークのコンテキストにおいて図３Ａおよび図３Ｂのフェムトプロキシシステムとともに使用する例示的なモバイルアクセス端末のブロック図。
【図６】ピコネット上のクライアントを取り扱うための例示的な方法のフローチャート。
【図７Ａ】コンテキストのこのタイプにおける拡張されたピコネットクライアントセットを扱うための例示的な方法のフローチャート。
【図７Ｂ】コンテキストのこのタイプにおける拡張されたピコネットクライアントセットを扱うための例示的な方法のフローチャート。
【図８】アクセス端末およびフェムトプロキシシステムの間の通信のこのタイプのコンテキストにおける拡張されたピコネットクライアントセットを取り扱うコンテキストにおいて最小および／または共有スイッチングペナルティのための例示的方法のフローチャート。
【発明を実施するための形態】
【００２４】
フェムトプロキシアーキテクチャ内で帯域外ピコネット上のアクセス端末の取り扱いが説明される。フェムトプロキシシステムは、フェムトセル（フェムトアクセスポイント、またはＦＡＰ）および１つまたは複数の帯域外（ＯＯＢ）プロキシを含む。ＯＯＢプロキシのうちの１つは、ＯＯＢピコネットのマスタとして動作するように構成され、ＯＯＢピコネットのマスタを通じてフェムトプロキシシステムのフェムト動作をサポートするサービスを含む、様々なサービスが提供される。例えば、ＯＯＢピコネットは、フェムトセルを通じて提供されるマクロ通信サービにより低電力アクセスを容易にするために使用され得る。ある場合において、接続されたおよびインアクティブなＯＯＢ動作モードの組み合わせは、ピコネット上のスレーブなアクセス端末の数をサポートするために使用される。ここで、スレーブのうちのいくつかは、アクティブＷＷＡＮモードで動作し、その他は、アイドルＷＷＡＮモードで動作する。例えば、パークモードは、ＷＷＡＮモードアクセス端末のために使用され得る
本明細書で説明する技法は、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用され得る。「システム」および「ネットワーク」という用語は、しばしば互換的に使用される。ＣＤＭＡシステムは、ＣＤＭＡ２０００、Ｕｎｉｖｅｒｓａｌ  Ｔｅｒｒｅｓｔｒｉａｌ  Ｒａｄｉｏ  Ａｃｃｅｓｓ（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、Ｈｉｇｈ  Ｒａｔｅ  Ｐａｃｋｅｔ  Ｄａｔａ（ＨＲＰＤ）などと呼ばれる。ＵＴＲＡは、Ｗｉｄｅｂａｎｄ  ＣＤＭＡ（ＷＣＤＭＡ（登録商標））およびＣＤＭＡの他の変形態を含む。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装し得る。ＯＦＤＭＡシステムは、Ｕｌｔｒａ  Ｍｏｂｉｌｅ  Ｂｒｏａｄｂａｎｄ（ＵＭＢ）、Ｅｖｏｌｖｅｄ  ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の団体からの文書に記載されている。ＣＤＭＡ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織からの文書に記載されている。本明細書で説明する技法は、上記のシステムおよび無線技術、ならびに他のシステムおよび無線技術に使用できる。
【００２５】
したがって、以下の説明は、例を与えるものであり、特許請求の範囲において記載される範囲、適用性、または構成を限定するものではない。本特許請求の範囲の本開示の趣旨および範囲から逸脱することなく、説明される要素の機能および構成において変更が行われ得る。様々な実施形態は、適宜に様々なプロシージャまたは構成要素を省略、置換、または追加し得る。たとえば、説明される方法は、説明される順序とは異なる順序で実行され得、様々なステップが追加、省略、または組み合わせられ得る。また、いくつかの実施形態に関して説明される特徴は、他の実施形態において組み合わせられ得る。
【００２６】
最初に図１を参照すると、ブロック図は、ワイヤレス通信システム１００の例を示す。システム１００は、セル１１０中に配設されたトランシーバ基地局（ＢＴＳ）１０５と、モバイルアクセス端末１１５（ＡＴ）と、基地局コントローラ（ＢＳＣ）１２０とを含む。アクセス端末（ＡＴ）、移動局（ＭＳ）などのような用語は、本明細書では互換的に使用され、特定のネットワークトポロジーまたは実装形態を暗示するものではないことは注目に値する。たとえば、「ＡＴ」という用語は、一般に回線交換（たとえば、ＣＤＭＡ  １Ｘ）ネットワークに対して使用され得、「ＭＳ」という用語は、一般にパケットデータサービス（たとえば、ＥＶ−ＤＯ、ＨＲＰＤ）ネットワークに対して使用され得るが、本明細書で説明する技法は、これらまたは他のネットワークのいずれかのコンテキストにおいて適用され得る。
【００２７】
システム１００は、複数のキャリア（異なる周波数の波形信号）上での動作をサポートし得る。マルチキャリア送信機は、複数のキャリア上で同時に被変調信号を送信することができる。各被変調信号は、ＣＤＭＡ信号、ＴＤＭＡ信号、ＯＦＤＭＡ信号、ＳＣ−ＦＤＭＡ信号などであり得る。各被変調信号は、異なるキャリア上で送られ得、パイロット、オーバーヘッド情報、データなどを搬送し得る。いくつかの実施形態において、システム１００は、ネットワークリソースを効率的に割り振ることが可能なマルチキャリアＬＴＥネットワークである。
【００２８】
ＢＴＳ１０５は、基地局アンテナを介してＡＴ１１５とワイヤレス通信することができる。ＢＴＳ１０５は、複数のキャリアを介してＢＳＣ１２０の制御下でＡＴ１１５と通信するように構成される。ＢＴＳ１０５の各々は、それぞれの地理的エリア、ここではセル１１０−ａ、１１０−ｂ、または１１０−ｃに対する通信カバレージを提供し得る。システム１００は、異なるタイプのＢＴＳ１０５、たとえばマクロ、ピコ、および／またはフェムト基地局を含み得る。
【００２９】
ＡＴ１１５は、セル１１０全体に分散され得る。ＡＴ１１５は、移動局、モバイルデバイス、ユーザ機器（ＵＥ）、または加入者ユニットと呼ばれることがある。ここで、ＡＴ１１５は、セルラーフォンとワイヤレス通信デバイスとを含むが、携帯情報端末（ＰＤＡ）、他のハンドヘルドデバイス、ネットブック、ノートブックコンピュータなどをも含むこともできる。
【００３０】
本開示のために、ＡＴ１１５は、複数の「マクロ」ＢＴＳ１０５によって可能にされるマクロネットワークまたは同様のネットワーク上で動作する（上に「留まる」）と仮定する。各マクロＢＴＳ１０５は、比較的大きい地理的エリア（たとえば、半径数キロメートル）をカバーし得、サービスに加入している端末による無制限のアクセスを可能にし得る。ＡＴ１１５はまた、「フェムト」または「ホーム」ＢＴＳ１０５によって可能にされる少なくとも１つのフェムトネットワーク上で動作するように登録される。マクロＢＴＳ１０５は、一般に（たとえば、図１に示す例示的な六角形セル１１０を生じる）ネットワークプランニングに従って展開され得るが、フェムトＢＴＳ１０５は、一般に個々のユーザ（またはユーザ代表）によって展開されて、ローカライズドフェムトセル（localized femtocell）を作り出し得ることを諒解されたい。ローカライズドフェムトセルは、一般にマクロネットワークプランニングアーキテクチャ（たとえば、六角形セル）に従わないが、それは、様々なマクロレベルネットワークプランニングおよび／または管理決定の一部（たとえば、負荷分散など）として考慮され得る。
【００３１】
ＡＴ１１５は、概して、高度モバイル動作を可能にするために、小さいバッテリなど、内部電源を使用して動作し得る。フェムトセルなど、ネットワークデバイスの戦略的展開は、モバイルデバイス電力消費をある程度まで緩和することができる。たとえば、フェムトセルは、（たとえば、容量制限、帯域幅制限、信号フェージング、信号シャドーイングなどのために）場合によっては十分なサービスまたはいかなるサービスをも経験しないことがあるエリア内でサービスを提供するために利用され得、それにより、クライアントデバイスが探索時間を低減し、送信電力を低減し、送信時間を低減することなどが可能になる。フェムトセルは、（たとえば、家屋または建築物内の）比較的小さいサービスエリア内でサービスを提供する。したがって、クライアントデバイスは、一般に、サービスされているとき、フェムトセルの近くに配設され、クライアントデバイスが低減された送信電力を用いて通信することをしばしば可能にする。
【００３２】
たとえば、フェムトセルは、レジデンス、オフィスビルなどのユーザの建物中で位置特定されるフェムトアクセスポイント（ＦＡＰ）として実装される。そのロケーションは、（たとえば、窓の近くでの）地球測位衛星（ＧＰＳ）信号へのアクセス、および／または他の有用なロケーションにおけるアクセスを可能にするために、（たとえば、集中型ロケーションにおける）最大カバレージのために選定され得る。明瞭のために、本明細書の開示では、ＡＴ１１５のセットが、実質的にユーザの建物全体にわたってカバレージを与える単一のＦＡＰに（たとえば、その単一のＦＡＰのホワイトリスト上に）登録されると仮定する。「ホーム」ＦＡＰは、マクロネットワークを通じて通信サービスへのアクセスをＡＴ１１５に提供する。本明細書に使用されるように、マクロネットワークは、ワイヤレス広域ネットワーク（ＷＷＡＮ）であると仮定する。そのため、「マクロネットワーク」および「ＷＷＡＮネットワーク」と同様な用語は、交換可能になるように意図される。同様の技法は、本開示または本特許請求の範囲から逸脱することなく他のタイプのネットワーク環境に適用され得ることが認識されるだろう。
【００３３】
例示的な構成において、ＦＡＰは、フェムトプロキシシステムとして１つまたは複数の帯域外（ＯＯＢ）プロキシに統合される。本明細書で使用する「帯域外」または「ＯＯＢ」は、ＷＷＡＮに対して帯域外である任意のタイプの通信を含むことが意図されている。たとえば、ＯＯＢプロキシおよび／またはＡＴ１１５は、ブルートゥース（たとえば、クラス１、クラス１．５、および／またはクラス２）、Ｚｉｇｂｅｅ（登録商標）（たとえば、ＩＥＥＥ８０２．１５．４−２００３ワイヤレス規格に従う）、ＷｉＦｉ、および／またはマクロネットワーク帯域外の任意の他の有用なタイプの通信を使用して動作するように構成され得る。
【００３４】
ＦＡＰとのＯＯＢ統合は、多くの特徴を提供し得る。例えば、ＯＯＢプロキシは、低減された干渉、より低電力なフェムト発見などを可能にし得る。これらおよび他の特徴のうちのいくつかは［参照文献１０００５６および１００６４１］に説明される。
【００３５】
さらに、ＦＡＰを備えたＯＯＢ機能性の統合は、ＦＡＰに所属するＡＴ１１５がさらにＯＯＢピコネットの一部であることを許容し得る。ピコネットは改善されたＦＡＰ機能性、他の通信サービス、電力管理機能性、および／または、ＡＴ１１５に対する他の特徴を容易にし得る。これらおよび他の特徴は、以下の説明からさらに十分に理解されることになるだろう。
【００３６】
図２Ａは、フェムトプロキシシステム２９０ａを含む例示的なワイヤレス通信システム２００ａのブロック図を示す。フェムトプロキシシステム２９０ａは、フェムトプロキシモジュール２４０ａと、ＦＡＰ２３０ａと、通信管理サブシステム２５０とを含む。図１に関して説明されるように、ＦＡＰ２３０ａは、フェムトＢＴＳ１０５であり得る。フェムトプロキシシステム２９０ａはまた、アンテナ２０５と、トランシーバモジュール２１０と、メモリ２１５と、プロセッサモジュール２２５とを含み、その各々は、（たとえば、１つまたは複数のバスを介して）互いと直接または間接的に通信し得る。トランシーバモジュール２１０は、アンテナ２０５を介してＡＴ１１５と双方向に通信するように構成される。トランシーバモジュール２１０（および／またはフェムトプロキシシステム２９０ａの他の構成要素）はまた、マクロ通信ネットワーク１００ａ（たとえば、ＷＷＡＮ）と双方向に通信するように構成される。たとえば、トランシーバモジュール２１０は、バックホールネットワークを介してマクロ通信ネットワーク１００ａと通信するように構成される。マクロ通信ネットワーク１００ａは図１の通信システム１００であり得る。
【００３７】
メモリ２１５は、ランダムアクセスメモリ（ＲＡＭ）と読取り専用メモリ（ＲＯＭ）とを含み得る。メモリ２１５は、実行されるとプロセッサモジュール２２５に本明細書で説明する様々な機能（たとえば、呼処理、データベース管理、メッセージルーティングなど）を実行させるように構成された命令を含んでいるコンピュータ可読、コンピュータ実行可能ソフトウェアコード２２０を記憶し得る。代替的に、ソフトウェア２２０は、プロセッサモジュール２２５によって直接的に実行可能でないことがあるが、たとえば、コンパイルされ実行されると、コンピュータに本明細書で説明する機能を実行させるように構成され得る。
【００３８】
プロセッサモジュール２２５は、たとえば、Ｉｎｔｅｌ（登録商標）ＣｏｒｐｏｒａｔｉｏｎまたはＡＭＤ（登録商標）製のものなどの中央処理装置（ＣＰＵ）、マイクロコントローラ、特定用途向け集積回路（ＡＳＩＣ）などのインテリジェントハードウェアデバイスを含み得る。プロセッサモジュール２２５は、マイクロフォンを介してオーディオを受信し、そのオーディオを、受信したオーディオを表す（たとえば、長さ３０ｍｓの）パケットに変換し、そのオーディオパケットをトランシーバモジュール２１０に供給し、ユーザが話しているかどうかの指示を与えるように構成された音声エンコーダ（図示せず）を含み得る。代替的に、エンコーダはパケットのみをトランシーバモジュール２１０に供給し、パケット自体の供給または抑制／抑圧が、ユーザが話しているかどうかの指示を与え得る。
【００３９】
トランシーバモジュール２１０は、パケットを変調し、変調されたパケットを送信のためにアンテナ２０５に供給し、アンテナ２０５から受信されたパケットを復調するように構成されたモデムを含み得る。いくつかの実施形態は単一のアンテナ２０５を含み得るが、実施形態は、一般に、複数のリンクのための複数のアンテナ２０５を含む。たとえば、ＡＴ１１５との通信をサポートするために１つまたは複数のリンクが使用され得る。また、１つまたは複数の帯域外リンクが、同じかまたは異なるアンテナ２０５によってサポートされ得る。
【００４０】
特に、フェムトプロキシシステム２９０ａは、ＦＡＰ２３０ａとフェムトプロキシモジュール２４０ａの両方の機能を与えるように構成される。たとえば、上述のように、ＡＴ１１５がフェムトセルカバレージエリアに接近すると、ＡＴ１１５のＯＯＢ無線はＯＯＢフェムトプロキシモジュール２４０ａの探索を開始し得る。発見されると、ＡＴ１１５は、それがフェムトセルカバレージエリアの近傍にあるという高いレベルの確信を有し得、ＦＡＰ２３０ａのスキャンが開始することができる。
【００４１】
ＦＡＰ２３０ａのスキャンは異なる方法で実装され得ることは注目すべきである。たとえば、ＡＴ１１５のＯＯＢ無線によるフェムトプロキシモジュール２４０ａの発見のために、ＡＴ１１５とフェムトプロキシシステム２９０ａの両方は互いの近接を認識していることがある。いくつかの実施形態では、ＡＴ１１５はＦＡＰ２３０ａをスキャンする。他の実施形態では、ＦＡＰ２３０ａは、（たとえば、個々に、またはすべての登録されたＡＴ１１５のラウンドロビンポーリングの一部として）ＡＴ１１５についてポーリングし、ＡＴ１１５はポールについてリッスンする。ＦＡＰ２３０ａのスキャンが成功すると、ＡＴ１１５はＦＡＰ２３０ａに所属し得る。
【００４２】
ＡＴ１１５がフェムトセルカバレッジエリアにあり、ＦＡＰ２３０ａに所属する場合、ＡＴ１１５は、ＦＡＰ２３０ａを介してマクロ通信ネットワーク１００ａと通信し得る。以上で説明されるように、ＡＴ１１５は、さらにマスタとして動作するフェムトプロキシモジュール２４０ａに対するピコネットのスレーブであり得る。例えば、ピコネットは、ブルートゥースを使用して動作し、ＦＡＰ２３０ａにおける（例えば、トランシーバの一部として実装される）ブルートゥース無線によって容易になるブルートゥース通信リンクを含み得る。
【００４３】
ＦＡＰ２３０ａの実施形態は、様々な構成の基地局またはワイヤレスアクセスポイントの機器を有する。本明細書で使用するＦＡＰ２３０ａは、様々な端末（たとえば、クライアントデバイス（ＡＴ１１５など）、近傍エージェントデバイスなど）と通信するデバイスであり得、基地局、ノードＢ、および／または他の同様のデバイスと呼ばれることもあり、それらの機能の一部または全部を含み得る。本明細書ではＦＡＰ２３０ａと呼ぶが、本明細書でのその概念は、フェムトセル構成以外のアクセスポイント構成（たとえば、ピコセル、マイクロセルなど）に適用可能であることを諒解されたい。ＦＡＰ２３０ａの実施形態は、ＦＡＰ２３０ａに関連するフェムトセルカバレージエリア内での通信を容易にするために（たとえば、エリアのカバレージの改善を与えるために、容量の増加を与えるために、帯域幅の増加を与えるためになど）対応するセルラーネットワーク（たとえば、マクロ通信ネットワーク１００ａ、またはその一部分）に固有の通信周波数およびプロトコルを利用する。
【００４４】
ＦＡＰ２３０ａは、図２Ａに明示的に示していない他のインターフェースと通信し得る。たとえば、ＦＡＰ２３０ａは、固有なセルラーワイヤレスリンク（たとえば、「帯域内」通信リンク）を介して、ＡＴ１１５など、様々な適宜に構成されたデバイスと通信するためのトランシーバモジュール２１０の一部としての固有なセルラーインターフェース（たとえば、動作中に比較的大きい電力量を消費し得るセルラーネットワーク通信技法を利用する特殊なトランシーバ）と通信していることがある。そのような通信インターフェースは、限定はしないが、広帯域符号分割多元接続（Ｗ−ＣＤＭＡ）、ＣＤＭＡ２０００、ｇｌｏｂａｌ  ｓｙｓｔｅｍ  ｆｏｒ  ｍｏｂｉｌｅ  ｔｅｌｅｃｏｍｍｕｎｉｃａｔｉｏｎ（ＧＳＭ）、ｗｏｒｌｄｗｉｄｅ  ｉｎｔｅｒｏｐｅｒａｂｉｌｉｔｙ  ｆｏｒ  ｍｉｃｒｏｗａｖｅ  ａｃｃｅｓｓ（ＷｉＭａｘ）、およびワイヤレスＬＡＮ（ＷＬＡＮ）を含む、様々な通信規格に従って動作し得る。同じくまたは代替的に、ＦＡＰ２３０ａは、様々なデバイスまたは他のネットワークと通信するためのトランシーバモジュール２１０の一部としての１つまたは複数のバックエンドネットワークインターフェース（たとえば、インターネット、パケット交換ネットワーク、交換ネットワーク、無線ネットワーク、制御ネットワーク、ワイヤードリンクなどを介して通信を行うバックホールインターフェース）と通信していることがある。
【００４５】
上記で説明したように、ＦＡＰ２３０ａはさらに、トランシーバモジュール２１０および／またはフェムトプロキシモジュール２４０ａの一部として１つまたは複数のＯＯＢインターフェースと通信していることがある。たとえば、ＯＯＢインターフェースは、動作中に比較的低い電力量を消費するトランシーバを含み得、および／または帯域内トランシーバに対して帯域内スペクトル中に生じる干渉が小さくなり得る。そのようなＯＯＢインターフェースは、ＡＴ１１５のＯＯＢ無線など、様々な適宜に構成されたデバイスに対して低電力ワイヤレス通信を行うために、実施形態に従って利用され得る。ＯＯＢインターフェースは、たとえば、ブルートゥースリンク、超広帯域（ＵＷＢ）リンク、ＩＥＥＥ８０２．１１（ＷＬＡＮ）リンクなどを与え得る。
【００４６】
本明細書で使用する「高電力」および「低電力」という用語は相対語であり、電力消費の特定のレベルを暗示しないことは明らかである。したがって、ＯＯＢデバイス（たとえば、ＯＯＢフェムトプロキシモジュール２４０ａ）は、所与の動作時間の間、（たとえば、マクロＷＷＡＮ通信のための）固有なセルラーインターフェースよりも少ない電力を消費するにすぎない。いくつかの実装形態では、ＯＯＢインターフェースはまた、マクロ通信インターフェースと比較して、比較的より低い帯域幅の通信、比較的より短い距離の通信を行い、および／または比較的より低い電力を消費する。しかしながら、ＯＯＢデバイスおよびインターフェースが低電力、短距離、および／または低帯域幅であるという制限はないことを諒解されたい。実施形態は、ＩＥＥＥ８０２．１１、ブルートゥース、ＰＥＡＮＵＴ、ＵＷＢ、ＺｉｇＢｅｅ、ＩＰトンネル、ワイヤードリンクなど、ワイヤレスまたはそれ以外にかかわらず、任意の好適な帯域外リンクを使用し得る。
【００４７】
例示的なフェムトプロキシモジュール２４０ａは、様々なタイプのＯＯＢ機能を与え得、様々な方法で実装され得る。フェムトプロキシモジュール２４０ａは、スタンドアロンプロセッサベースシステム、ホストデバイスと統合されたプロセッサベースシステム（たとえば、アクセスポイント、ゲートウェイ、ルータ、スイッチ、リピータ、ハブ、コンセントレータなど）など、様々な構成のデバイスを有し得る。たとえば、フェムトプロキシモジュール２４０ａは、様々なタイプの通信を可能にするための様々なタイプのインターフェースを含み得る。
【００４８】
いくつかのフェムトプロキシモジュール２４０ａは、本明細書ではワイヤレスリンクを介して干渉緩和および／またはフェムトセル選択を行うために、他の適宜に構成されたデバイス（たとえば、ＡＴ１１５）と通信するためのトランシーバモジュール２１０の一部としての１つまたは複数のＯＯＢインターフェース（たとえば、動作中に比較的低い電力量を消費し得、および／または帯域内スペクトル中よりも生じる干渉が少なくなり得るトランシーバ）を含む。好適な通信インターフェースの一例は、時分割複信（ＴＤＤ）方式を使用するブルートゥース対応トランシーバである。
【００４９】
フェムトプロキシモジュール２４０ａはまた、様々なデバイスまたはネットワークと通信するために、トランシーバモジュール２１０の一部として１つまたは複数のバックエンドネットワークインターフェース（たとえば、パケット交換ネットワークインターフェース、交換ネットワークインターフェース、無線ネットワークインターフェース、制御ネットワークインターフェース、ワイヤードリンクなど）を含み得る。フェムトプロキシモジュール２４０ａがＦＡＰ２３０ａなどのホストデバイス内と統合される実施形態は、所望される場合、フェムトプロキシモジュール２４０ａと他のネットワークもしくはデバイスとの間の通信を行うために、バックエンドネットワークインターフェースの代替として内部バスまたは他のそのような通信インターフェースを利用し得る。追加または代替として、実施形態によれば、フェムトプロキシモジュール２４０ａとＦＡＰ２３０ａおよび／または他のデバイスもしくはネットワークとの間の通信を行うために、ＯＯＢインターフェース、ネイティブセルラーインターフェースなど、他のインターフェースが利用され得る。
【００５０】
フェムトプロキシシステム２９０ａの例示的な構成に従って、（例えば、ＦＡＰ２３０ａおよび／またはフェムトプロキシモジュール２４０ａの通信機能を含む）様々な通信機能は、通信管理サブシステム２５０を使用して管理され得る。例えば、通信管理サブシステム２５０は、マクロ（ＷＷＡＮ）ネットワーク、１つまたは複数のＯＯＢネットワーク（例えば、ピコネット、ＡＴ１１５  ＯＯＢ無線、他のフェムトプロキシ、ＯＯＢビーコンなど）、１つまたは複数の他のフェムトセル（例えば、ＦＡＰ２３０）、ＡＴ１１５などとの通信を少なくも一部取り扱い得る。１つの例示的な構成において、通信管理サブシステム２５０は、バスを介してフェムトプロキシシステム２９０ａの他の構成要素のうちのいくつかまたはすべてと通信しているフェムトプロキシシステム２９０ａの構成要素である。
【００５１】
例示的な通信管理サブシステム２５０は、さらにクライアントセットを拡張するピコネット動作を管理するように構成され得る。以上で議論されるように、フェムトプロキシモジュール２４０ａは、フェムトセルカバレッジエリアにおけるＡＴ１１５がスレーブである、ピコネットのマスタとして動作するように構成され得る。いくつかのＯＯＢ標準に従って、ピコネットの一部として同時に許容されるアクティブメンバーの数に制限があり得る。通信管理サブシステム２５０は、ピコネット上で動作するクライアントの数を拡張するためにピコネットを拡張するように構成され得る。
【００５２】
本開示のために、ピコネットがブルートゥース標準を使用して動作すると仮定される。同様の問題、技術などが異なる標準の下で動作するピコネットに適用可能であり得ることが認識されるだろう。ブルートゥースの１つの特徴は、ピコネットのスレーブが少なくとも接続している状態またはインアクティブ状態において動作し得ることである。例えば、ブルートゥース標準に従って、スレーブＡＴ１１５は、３つの接続モード（「アクティブ」、「スニフ（sniff）」、または、「ホールド」）のうちの１つ、あるいは１つのインアクティブモード（「パーク（park）」）において動作し得る。「アクティブ」モードにおいて、ＡＴ１１５は、ブルートゥース送信チャネル（例えば、ＯＯＢリンク）を通じてアクティブ通信に従事し、マスタ（例えば、フェムトプロキシモジュール２４０ａ）は、同期のためにスレーブＡＴ１１５を定期的にポーリングする。「スニフ」モードにおいて、ＡＴ１１５は、同期およびバースト通信のために一定間隔で短期間の間のピコネットトラフィックをリッスンし得る。「ホールド」モードにおいて、ＡＴ１１５のブルートゥースモジュール（例えばチップ）上のカウンタのみが（例えば、動機のために）アクティブのままであり、ＡＴ１１５のブルートゥース機能性の残りは、あるホールド期間の後に「アクティブ」モードに戻り得る。
【００５３】
以上で説明される接続モードにおいて、ＡＴ１１５が「スニフ」または「ホールド」モード、または別の方法で積極的に通信していない場合でさえ、ＡＴ１１５は、ピコネットとその接続状態を維持する。すべての接続モードにおいて、アクティブメンバーアドレス（「ＡＭ＿ＡＤＤＲ」）、およびデフォルト非同期接続−指向性リンク（ＡＣＬ）は、ピコネットを通じてＡＴ１１５と通信するために維持される。しかしながら、「パーク」モードにおいて、ＡＴ１１５は、ピコネット上のその接続状態を放棄し得る。特に、ＡＴ１１５は、そのアクティブメンバーアドレスおよびそのデフォルトＡＣＬの両方を放棄し得る。代わりに、「パーク」モードを入る前に、マスタ（例えば、フェムトプロキシモジュール２４０ａ）は、パークメンバーアドレス（「ＰＭ＿ＡＤＤＲ」）にＡＴ１１５を割り当てる。パークＡＴ１１５は、例えば、ピコネットとの同期を維持し、接続されるようになる指示に対してリッスンするために、ブロードキャストチャネルを通じて定期的な（例えば、周期的な）ビーコン信号を受信し得る。
【００５４】
特に、接続されるピコネットまたはピコネットのインアクティブモードとして、マクロ通信システム１００ａ上（例えば、フェムトセル上）に留まるＡＴ１１５は、アクティブまたはアイドルＷＷＡＮモードにおいて動作し得る。例えば、インアクティブなＡＴ１１５は、ＡＴ１１５が（例えば、任意のページに対してリッスンするために）周期的に目覚め、スリープに戻る間、ＷＷＡＮ上で「アイドル」状態で動作し得る。通信情報（例えばページ）がＡＴ１１５のために受信される場合、ＡＴ１１５は、ＷＷＡＮ上でアクティブモード（例えば「トラフィックチャネル」モード）にスイッチし得る。
【００５５】
フェムトプロキシシステム２９０ａのコンテキストにおいて、ブルートゥースピコネットは、低電力のフェムトセルアクセスを提供するために（例えば、フェムトプロキシモジュール２４０ａによって容易になるように）使用されることができる。以上で議論されるように、ＯＯＢ電力消費は、帯域内電力消費よりかなり低くなり得る。いくつかの例示的な構成に従って、通信管理サブシステム２５０は、フェムトプロキシモジュール２４０ａを通じてＯＯＢリンクにいくつかまたはすべてのＷＷＡＮ通信を効果的にオフロードするように構成される。これは、フェムトセルカバレージエリアのＡＴ１１５が時間とともにかなりの低電力の消費で、ＦＡＰ２３０を通じてＷＷＡＮ通信サービスを維持することを可能にし得る。
【００５６】
例えば、フェムトセル上に留まっているＡＴ１１５は、「スニフ」モードのピコネットにおいて動作するようにフェムトプロキシモジュール２４０ａによって指示され得る。「スニフ」ＯＯＢモードがＷＷＡＮの「アイドル」モードに実質的に類似し、より低電力でアイドルＷＷＡＮ状態のＡＴ１１５を維持するために、比較的一貫性のある方法において使用されることができることが認識されるだろう。ＡＴ１１５が（例えば、携帯電話の通話などに従事するために）アクティブＷＷＡＮモードに入るよう望まれる場合、「スニフ」ＯＯＢモード（または「アクティブ」ＯＯＢモード）は、マクロ通信をサポートするある方法において使用され続けられ得る。ある場合において、「スニフ」間隔および／またはウィンドウは、アクティブなＷＷＡＮモードサポート対アイドルのＷＷＡＮモードサポートのために調整され得る。
【００５７】
例示のために、ＡＴ１１５がアクティブＷＷＡＮモードに入る場合、多くのリンクおよびモードの組み合わせは、異なる特徴を生み出すために使用され得る。１つの技法に従って、ＡＴ１１５は、ＦＡＰ２３０ａと通信するためにそのＷＷＡＮインターフェースを使用する一方、フェムトプロキシモジュール２４０ａと（例えばＯＯＢ「スニフ」モードにおいて）通信を維持するためにそのＯＯＢインターフェースを使用する。これは、ＡＴ１１５がアクティブセッション（例えば、コール）を終える場合にフェムトプロキシモジュール２４０ａと再結合しないことを許容する、および／またはフェムトプロキシモジュール２４０ａがＡＴ１１５の代わりとしてページをモニタし続けることを許容し得る。別の技術に従って、ＡＴ１１５は、ＦＡＰ２３０ａと通信するそのＷＷＡＮインターフェースを使用する一方、フェムトプロキシモジュール２４０ａから分離する（例えば、ピコネットを去る）。その後、例えば、コールが終了する場合に、ＡＴ１１５は、フェムトプロキシモジュール２４０ａと再結合し得る。さらに別の技法に従って、ＡＴ１１５は、ＦＡＰ２３０ａと通信するＷＷＡＮインターフェースが使用できず（例えば、ＷＷＡＮインターフェースが電源を切ったままであり）、フェムトプロキシモジュール２４０ａを介してＦＡＰ２３０ａと（例えば、ＯＯＢ「アクティブ」モードの）通信を維持するためにそのＯＯＢインターフェースを代わりに使用する。特に、ＯＯＢリンクがこのタイプのアクティブ通信のために使用される場合、ＯＯＢ「スニフ」モードは、通信をサポートするために不十分であり、「アクティブ」モードが代わりに使用されなければならない。
【００５８】
他の状態が同様に利用可能であり得ることは注目に値する。例えば、データセッションの間に、ＡＴ１１５がＷＷＡＮの半接続状態で動作しているインアクティブな（例えば、データ転送がない）期間があり得る。これらの場合において、より積極的なＯＯＢ「スニフ」モードが、通信をサポートするために使用され得る。例えば、「スニフ」間隔は、データ転送のためにしばしばより頻繁にチェックするように短縮され得、ここでは望ましい。
【００５９】
この構成に対する潜在的な１つの制限は、あるＯＯＢ標準がピコネット上の限られた数の同時のアクティブ（接続された）スレーブのみをサポートし得るということである。例えば、ブルートゥース標準に従って、アクティブメンバーアドレスは、３ビットを使用して表わされる一方、パークメンバーアドレスは、８ビットを使用して表わされる。そのため、多くの（２５６までの）パークスレーブは、パークメンバーアドレスを使用してアドレス指定される一方、ピコネットは、アクティブスレーブそれぞれのアクティブメンバーアドレスを使用して同時に７つまでのアクティブスレーブをアドレス指定することができるのみである（つまり「０００」アドレスがブロードキャスト通信のために予約される）。
【００６０】
ある場合において、同時に複数のピコネットをサポートするためにフェムトプロキシモジュール２４０で複数のブルートゥース無線を使用することは可能であり得るが、これは望ましくない結果を生じさせ得る。複数のピコネットアプローチに対する１つの制限は、ＯＯＢ無線がおそらく互いに実質的にごく接近して位置し得ることである。各ＯＯＢ無線は、異なるホッピングパターンを有し得るが、２つのマスタが同時に同じ周波数上でブロードキャストしているように、ホッピングパターンは、時々オーバーラップし得る。これは、ＡＴ１１５にホッピングパターンのそれらのオーバーラップする部分の間に確実な通信をできなくさせ得る。複数のピコネットアプローチに対する別の制限は、複数の統合されたＯＯＢ無線を備えたフェムトプロキシシステム２９０の実施が、かなりより複雑であり得る。それは、コスト、性能、フットプリントなどに影響し得る。
【００６１】
例示的なアプローチに従って、（例えば、ＷＷＡＮ「アイドル」モードにおいて）フェムトセル上に留まるＡＴ１１５は、「スニフ」モードにおいてではなく「パーク」モードにおいて動作するフェムトプロキシモジュール２４０に向けられる。「パーク」モードにおいて、ＡＴ１１５は、フェムトプロキシモジュール２４０がより多くのクライアントセットを潜在的にサポートすることを可能にする、ピコネットの一部に効率的になり得ない。さらに、接続される「スニフ」モードおよびインアクティブな「パーク」モードの両方は、ＡＴ１１５に、一定間隔で短期間の間のピコネットを効率的にリッスンさせ、「パーク」モードにおける動作は、「スニフ」モードよりも少ない電力を消費する傾向がある。しかしながら、接続される「スニフ」モードおよびインアクティブな「パーク」モードの間の差は、このアプローチに対してある困難を生じ得る。
【００６２】
１つの困難は、ＡＴ１１５およびピコネットの間のパーク物理リンクが無線電力制御をサポートせず、（例えば信号強度情報等を通信において使用するための）ＡＴ１１５からマスタへのフィードバックパスを有し得ないことである。これは、例えば、送信電力を調節するピコネットの性能に影響し得る。別の困難は、インアクティブな「パーク」モードからの単一のアクティブ通信が接続される「スニフ」モードからの単一のアクティブ通信よりも時間が掛かる場合でさえ、サポートすることが困難であり得る。例えば、バースト通信は、アクティブな物理リンクが維持されように、スニフ期間の間に送信または受信され得る。しかしながら、パークされるＡＴ１１５が最初にアンパークになり、アクティブリンクがアクティブ通信を生じる前に生成され得る。例えば、ＡＴ１１５をアンパークにすることは、ＡＴ１１５のパークメンバーアドレスにアンパーク要求を送り、アンパーク要求の受諾を示すＡＴ１１５からの応答を待ち、その後、アクティブ物理リンクに現在のパーク物理リンクを変更し、デフォルトＡＣＬを再生成する（および再生成したデフォルトＡＣＬでパークプロシージャの間一時中断した任意のＬ２ＣＡＰチャネルを関連付ける）マスタを含み得る。これらのステップは、アクティブなスレーブＡＴ１１５に対して望ましくないユーザエクスペリエンスを生じる、レイテンシを導入し得る。
【００６３】
各「スニフ」および「パーク」モードがある特徴を生じることは以上から理解される。例えば、「スニフ」ＯＯＢモードがアクティブおよびアイドルのＷＷＡＮモードの両方をサポートするために使用されることができるが、アドレス指定は、ピコネットに参加するＡＴ１１５の数を限定し得る。対照的に、「パーク」ＯＯＢモードは、大きなアドレス指定空間を提供するが、それはアクティブなＷＷＡＮクライアントを有効にサポートし得ない。
【００６４】
したがって、いくつかの例示的な通信管理サブシステム２５０は、アイドルのＷＷＡＮクライアントにインアクティブな「パーク」ＯＯＢモードで動作するよう指示し、アクティブなＷＷＡＮクライアントに対して接続された（例えば、「スニフ」または「アクティブ」）ＯＯＢモードで動作するよう指示する。例えば、１つの例示的な構成において、フェムトプロキシシステム２９０ａは、フェムトセル上に留まる指定されたＡＴ１１５のためのＷＷＡＮ通信情報を受信する。通信管理サブシステム２５０は、指定されたＡＴ１１５がフェムトプロキシモジュール２４０ａおよび指定されたＡＴ１１５の間のインアクティブなＯＯＢ物理通信リンクでＯＯＢインアクティブモード（例えば「パーク」モード）において動作していると決定する。ＡＴ１１５は、ＯＯＢ接続モードにおいて動作するように（例えば、通信管理サブシステム２５０によって）指示される。例えば、ＡＴ１１５は、「スニフ」または「アクティブ」モードに切り換わるように指示される。
【００６５】
ある場合において、ＡＴ１１５のパークすることおよび／またはアンパークすることは、定期的な同期サイクル（例えば、同期ビーコン信号がパークＡＴ１１５にブロードキャストされるウィンドウの間）と実質的に同時に実行される。アクティブなＯＯＢ物理通信リンクは、フェムトプロキシモジュール２４０ａおよび指定されたＡＴ１１５の間で確立され得る。例えば、通信管理サブシステム２５０は、アクティブなＯＯＢ物理通信リンクを通じてフェムトプロキシシステム２９０ａからＡＴ１１５への通信情報の配信を取扱い得る。
【００６６】
通信管理サブシステム２４０は、さらに所定の最大数のアクセス端末がピコネット上のＯＯＢ接続モードにおいて現在動作しているかどうか決定し得る。もしそうでなければ、ＡＴ１１５がＯＯＢ接続モードにおいて動作するように指示され得る。もしそうならば、（例えば、他のＡＴ１１５をパークするために）別のＡＴ１１５が接続モードから抜け出して移ることが望ましいまたは必要であり得る。例えば、通信管理サブシステム２５０は、ＯＯＢ接続モードおよびＷＷＡＮアイドルモードの両方で現在動作するアクセス端末のうちの１つを識別し得る。これは、ＡＴ１１５が現在「アイドル」ＷＷＡＮモードおよび「スニフ」ＯＯＢモードの両方にいることであり得る。通信管理サブシステム２５０は、所定の最大数のアクセス端末がもはやＯＯＢ接続モードにおいて動作していないように、識別された（例えば、アイドルＷＷＡＮクライアント）ＡＴ１１５にＯＯＢインアクティブモード（例えば「パーク」）で動作するように指示し得る。ピコネットにおいて利用可能な動作位置を有しているならば、指定されたＡＴ１１５は、ＯＯＢ接続モードにおいて動作するように指示され得る。
【００６７】
以上の例示的な構成に従って、多数のＡＴ１１５がピコネットのスレーブでありうるが、（制限されたアクティブメンバーアドレス空間によって）現在のアクティブスレーブの数にまだ制限があることは、注目すべきである。以上で議論されるように、同時にアクティブスレーブＡＴ１１５の制限は、アクティブメンバーアドレス空間によって許容された最大数（例えばブルートゥース標準に従って、７つ）として決定され得る。最大数のアクティブメンバーアドレスが制限として使用される場合、アクティブなＷＷＡＮモードおよび接続されたＯＯＢモードの両方にあるＡＴ１１５は、アクティブメンバーアドレスを解放するためにフェムトプロキシモジュール２４０ａによってリリースされる必要があり得る。そのため、同時のアクティブスレーブＡＴ１１５についての制限は、概して、アクティブメンバーアドレス空間によって許容された最大数より少ないように決定され得る。
【００６８】
１つの例示において、制限は、最大数のアクティブメンバーアドレスより少数であることである。利用可能性を維持することは、これまでパークされたＡＴ１１５のより急速なアクティベーションを許容するかもしれない。これまでパークされたＡＴ１１５のアクティベーションの後で、通信管理サブシステム２４０は、ピコネット上で少なくとも１つのアクティブスロットの利用可能性を維持するためにＷＷＡＮ上でアイドルであるＡＴ１１５を識別しパークし得る。例えば、ＯＯＢ「アクティブ」モードのすべてのＡＴ１１５がさらにＷＷＡＮアクティブモードであると仮定する。ページメッセージがＯＯＢ「パーク」モードのＡＴ１１５に対して到来する場合、フェムトプロキシモジュール２４０ａは、ＡＴ１１５にその到来しているページを認識させるようにＯＯＢ「アクティブ」モードにＡＴ１１５をアンパークする必要があり得る（例えば、その後でＡＴ１１５は、ＯＯＢ「パーク」モード戻ることによってピコネットを離れ得る）。特に、そのＡＴ１１５に一時的に割り当てるために、少なくとも１つのアクティブメンバーアドレスを有することは望ましいものであり得るＡＴ１１５（例えばアンパークしているＡＴ１１５）の状態変更によって導入されたレイテンシのために、フェムトプロキシシステム２９０ａは、アンパーク要求が送られ、ＯＯＢ物理リンクがＯＯＢ「アクティブ」モードに入るためにセットアップされる場合の時間の間のデータをバッファするように構成され得る。
【００６９】
別の例示において、制限は、フェムトセルによってサポートすることができるアクティブクライアントの数に従って設定される。例えば、ＦＡＰ２３０は、（例えば、帯域幅制限などによって）同時に４つのアクティブＷＷＡＮクライアントのみをサポートすることができ得る。そのため、接続されたＯＯＢモードにおいて４つのＡＴ１１５より多くを維持するいくつかの場合において非効率になり得るので、ピコネット上で３つまでの利用可能なアクティブスロットを残す。
【００７０】
ある場合において、ピコネット上の拡張クライアントサポートのために選択された技術に従って他のネットワーク設定を設定すること望ましいことであり得る。例えば、ＯＯＢプロキシは、リンクロスがあるかどうか決定するために周期的にビーコン信号（または他の信号）を使用し得る。ＡＴ１１５が（例えば、１つまたは複数の連続した期間）信号に応答しない場合、応答の欠如は、そのＡＴ１１５とのリンクのロスとしてリンクの損失として解釈され得る。そのような信号の期間は、時折のミスがリンクロスを示さないように設定され得る。例えば、ＢＴリンクロス検出のための「SupervisionTO」間隔は、ＷＷＡＮページングサイクル値の２倍に設定されることができる（例えば、１．２８秒ページングサイクルに対して、「SupervisionTO」間隔は、２．５６秒に設定されることができる）。
【００７１】
様々な他のアーキテクチャが、図２Ａで示すもの以外のフェムトプロキシシステム２９０ａの実施形態によって可能である。ＦＡＰ２３０ａとフェムトプロキシモジュール２４０ａは、コロケートされ、単一のデバイス中に統合され、構成要素などを共有するように構成されることもされないこともある。たとえば、図２Ａのフェムトプロキシシステム２９０ａは、アンテナ２０５とトランシーバモジュール２１０とメモリ２１５とプロセッサモジュール２２５とを含む、構成要素を少なくとも部分的に共有する統合されたＦＡＰ２３０ａとフェムトプロキシモジュール２４０ａとを示す。
【００７２】
図２Ｂは、図２Ａに示したアーキテクチャとは異なるフェムトプロキシシステム２９０ｂのアーキテクチャを含む例示的なワイヤレス通信システム２００ｂのブロック図を示す。図２Ａにおけるように、フェムトプロキシシステム２９０ｂは、フェムトプロキシモジュール２４０ｂとＦＡＰ２３０ｂとを含む。しかしながら、図２Ａとは異なり、フェムトプロキシモジュール２４０ｂおよびＦＡＰ２３０ｂの各々は、それ自体のアンテナ２０５と、トランシーバモジュール２１０と、メモリ２１５と、プロセッサモジュール２２５とを有する。両方のトランシーバモジュール２１０は、それらのそれぞれのアンテナ２０５を介してＡＴ１１５と双方向に通信するように構成される。ＦＡＰ２３０ｂのトランシーバモジュール２１０−１は、（例えば、典型的にはバックホールネットワークを通じて）マクロ通信ネットワーク１００ｂと双方向に通信するように示される。
【００７３】
例示のために、フェムトプロキシシステム２９０ｂは、個別の通信管理サブシステム２５０なしで示される。当然、いくつかの構成において、通信管理サブシステム２５０は、フェムトプロキシモジュール２４０ｂおよびＦＡＰ２３０ｂの両方で提供される。他の構成において、通信管理サブシステム２５０は、フェムトプロキシモジュール２４０ｂの一部として実施される。さらに他の構成において、通信管理サブシステム２５０の機能性は、フェムトプロキシモジュール２４０ｂおよびＦＡＰ２３０ｂの１つまたは両方の（例えば、メモリ内のソフトウェアとして格納される）コンピュータプログラム製品として実施され得る。
【００７４】
さらに他の構成において、通信管理サブシステム２５０の機能性のうちのいくつかまたはすべては、プロセッサモジュールのコンポーネントとして実施され得る。図３は、通信管理サブシステム２５０の機能性を実施するためのプロセッサモジュール２２５ａの例示的な構成のブロック図３００を示す。プロセッサモジュール２２５ａは、ＷＷＡＮ通信制御器３１０およびアクセス端末制御器３２０を含む。
【００７５】
１つの例示的な構成において、プロセッサモジュール２２５ａは、（例えば、図２Ａおよび２Ｂで説明されたように）ＦＡＰ２３０およびフェムトプロキシモジュール２４０と通信中である。アクセス端末制御器３２０は、指定されたＡＴ１１５のためにＷＷＡＮ通信情報（例えばページ）を受信するように構成される。アクセス端末制御器３２０は、ＯＯＢフェムトプロキシおよび指定されたアクセス端末の間のインアクティブなＯＯＢ物理通信リンクを備えたＯＯＢインアクティブモードで、指定されたＡＴ１１５が動作していると決定する。アクセス端末制御器３２０は、ＯＯＢ接続モードにおいて（例えば、同期ビーコンサイクルのような、定期的な通信サイクルで実質的に同時に接続するように）動作するようにＡＴ１１５に指示し、ＯＯＢフェムトプロキシおよび指定されたアクセス端末の間のアクティブなＯＯＢ物理通信リンクを確立する。ある場合において、アクセス端末制御器３２０は、アクティブなＯＯＢ物理通信リンクを通じてＡＴ１１５に対する通信情報の配信を容易にする。
【００７６】
アクセス端末制御器３２０は、さらに、所定の最大数のアクセス端末がピコネット上でＯＯＢ接続モードにおいて現在動作しているかどうか決定し得る。もしそうでなければ、ＡＴ１１５は、ＯＯＢ接続モードにおいて動作するように指示され得る。もしそうならば、（例えば他のＡＴ１１５をパークするために）別のＡＴ１１５が接続モードから抜け出すことが望ましいまたは必要であり得る。例えば、アクセス端末制御器３２０は、ＯＯＢ接続モードおよびＷＷＡＮアイドルモードの両方で現在動作するアクセス端末のうちの１つを識別し得る。これは、ＡＴ１１５が現在「アイドル」ＷＷＡＮモードと「スニフ」ＯＯＢモードとの両方の中にいることである。アクセス端末制御器３２０は、所定の最大数のアクセス端末がもはやＯＯＢ接続モードで動作していないように、ＯＯＢインアクティブモード（例えば「パーク」）で動作するように識別された（例えばアイドルＷＷＡＮクライアント）ＡＴ１１５に指示し得る。ピコネットにおいて利用可能な動作位置を有して、指定されたＡＴ１１５がＯＯＢ接続モードにおいて動作するように指示され得る。
【００７７】
特に、図２ＡのＦＡＰ２３０ａおよび図２ＢのＦＡＰ２３０ｂの両方は、マクロ通信ネットワーク１００ａにのみ通信リンクを提供することとして説明される。しかしながら、ＦＡＰ２３０の実施形態は、多くの異なるタイプのネットワークおよび／またはトポロジを介して通信機能性を提供することができる。例えば、ＦＡＰ２３０は、携帯電話ネットワーク、セルラデータネットワーク、ローカルエリアネットワーク（ＬＡＮ）、メトロポリタンエリアネットワーク（ＭＡＮ）、広域ネットワーク（ＷＡＮ）、公衆交換電話ネットワーク（ＰＳＴＮ）、インターネットなどのためのワイヤレスインターフェースを提供し得る。
【００７８】
図４Ａおよび図４Ｂは、様々なサービスを提供するための通信ネットワークにおけるフェムトセルアーキテクチャに関してさらなる詳細を示す。詳細には、図４Ａは、レガシー回線サービスのための例示的なフェムトセルアーキテクチャに関する詳細を示す。たとえば、図４ＡのネットワークはＣＤＭＡ１Ｘ回線交換サービスネットワークであり得る。図４Ｂは、レガシーインターフェースを使用するパケットデータサービスアクセスのための例示的なフェムトセルアーキテクチャに関する詳細を示す。たとえば、図４Ｂのネットワークは１ｘＥＶ−ＤＯ（ＨＲＰＤ）パケットデータサービスネットワークであり得る。これらの例示的なアーキテクチャは、図１〜図３の通信システムおよびネットワークの部分を示し得る。
【００７９】
上記で説明したように、フェムトプロキシシステム２９０は、ＡＴ１１５を含むクライアントデバイスと通信するように構成される。図５は、図１〜図４Ｂの通信システムおよびネットワークのコンテキストにおいて図３Ａおよび図３Ｂのフェムトプロキシシステム３９０とともに使用する例示的なモバイルアクセス端末（ＡＴ）１１５のブロック図５００を示す。ＡＴ１１５の実施形態は、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネットアプライアンス、ゲームコンソール、電子リーダーなど、様々な構成のデバイスを有し得る。明確さのために、ＡＴ１１５は、モバイル動作を可能にするために、小さいバッテリなど、内部電源（図示せず）を有するモバイル構成で与えられると仮定する。
【００８０】
各ＡＴ１１５は、アンテナ５０５と、トランシーバモジュール５１０と、メモリ５１５と、プロセッサモジュール５２５とを含み、その各々は、（たとえば、１つまたは複数のバスを介して）互いと直接または間接的に通信し得る。トランシーバモジュール５１０は、上記で説明したように、アンテナ５０５ならびに／あるいは１つまたは複数のワイヤードもしくはワイヤレスリンクを介して、１つまたは複数のネットワークと双方向に通信するように構成される。たとえば、トランシーバモジュール５１０は、マクロ通信ネットワーク（たとえば、図１の通信システム１００）のＢＴＳ１０５と、また、特に、少なくとも１つのＦＡＰ２３０と双方向に通信するように構成される。
【００８１】
上記で説明したように、トランシーバモジュール５１０は、１つまたは複数のＯＯＢリンクを介してさらに通信するように構成され得る。たとえば、実施形態は、ＦＡＰ２３０への帯域内（たとえば、マクロ）リンクと、フェムトプロキシモジュール２４０への少なくとも１つのＯＯＢリンクの両方を介して（たとえば、図２Ａおよび図２Ｂを参照しながら説明したように）フェムトプロキシシステム２９０と通信する。トランシーバモジュール５１０は、パケットを変調し、変調されたパケットを送信のためにアンテナ５０５に供給し、アンテナ５０５から受信されたパケットを復調するように構成されたモデムを含み得る。いくつかの実施形態は単一のアンテナ５０５を含み得るが、実施形態は、一般に、複数のリンクのための複数のアンテナ５０５を含む。
【００８２】
メモリ５１５は、ランダムアクセスメモリ（ＲＡＭ）と読取り専用メモリ（ＲＯＭ）とを含み得る。メモリ５１５は、実行されるとプロセッサモジュール５２５に本明細書で説明する様々な機能（たとえば、呼処理、データベース管理、メッセージルーティングなど）を実行させるように構成された命令を含んでいるコンピュータ可読、コンピュータ実行可能ソフトウェアコード５２０を記憶し得る。代替的に、ソフトウェア５２０は、プロセッサモジュール５２５によって直接的に実行可能でないことがあるが、たとえば、コンパイルされ実行されると、コンピュータに本明細書で説明する機能を実行させるように構成され得る。
【００８３】
プロセッサモジュール５２５は、たとえば、Ｉｎｔｅｌ（登録商標）ＣｏｒｐｏｒａｔｉｏｎまたはＡＭＤ（登録商標）製のものなどの中央処理装置（ＣＰＵ）、マイクロコントローラ、特定用途向け集積回路（ＡＳＩＣ）などのインテリジェントハードウェアデバイスを含み得る。プロセッサモジュール５２５は、マイクロフォンを介してオーディオを受信し、そのオーディオを、受信したオーディオを表す（たとえば、長さ３０ｍｓの）パケットに変換し、そのオーディオパケットをトランシーバモジュール５１０に供給し、ユーザが話しているかどうかの指示を与えるように構成された音声エンコーダ（図示せず）を含み得る。代替的に、エンコーダはパケットのみをトランシーバモジュール５１０に供給し、パケット自体の供給または抑制／抑圧が、ユーザが話しているかどうかの指示を与え得る。
【００８４】
図５の例示的なアーキテクチャに従って、ＡＴ１１５ａは通信管理サブシステム５４０をさらに含む。通信管理サブシステム５４０は、マクロ（例えばＷＷＡＮ）ネットワーク、１つまたは複数のＯＯＢネットワーク（例えばピコネット、フェムトプロキシモジュール２４０など）、１つまたは複数のフェムトセル（例えばＦＡＰ２３０）、他のＡＴ１１５（例えば、セカンダリピコネットのマスタとして動作する）などとの通信を管理し得る。１つの例示的な構成において、通信管理サブシステム５４０は、バスを介してＡＴ１１５ａの他の構成要素のうちのいくつかまたはすべてとの通信におけるＡＴ１１５ａの構成要素である。他の例示的な構成において、通信管理サブシステム５４０の機能性は、トランシーバモジュール５１０の構成要素として、コンピュータプログラム製品として、および／またはプロセッサモジュール５２５の１つまたは複数の制御器エレメントとして、実施され得る。
【００８５】
ＡＴ１１５が、マクロ（たとえば、セルラー）ネットワークと、１つまたは複数のＯＯＢネットワーク（たとえば、フェムトプロキシモジュール２４０リンク）の両方とインターフェースするための通信機能を含むことは、注目に値する。たとえば、いくつかのＡＴ１１５は、ネイティブセルラーワイヤレスリンクを通じて他の適宜に構成されたデバイスと通信するために（たとえば、ＦＡＰ２３０を介したマクロ通信ネットワークとのリンクを確立するために）トランシーバモジュール５１０、または通信管理サブシステム５４０の一部としてネイティブセルラーインターフェース（たとえば、動作中に比較的大きい電力量を消費するセルラーネットワーク通信技法を利用するトランシーバ）を含む。ネイティブセルラーインターフェースは、限定はしないが、Ｗ−ＣＤＭＡ、ＣＤＭＡ２０００、ＧＳＭ、ＷｉＭａｘ、およびＷＬＡＮを含む１つまたは複数の通信規格に従って動作し得る。
【００８６】
さらに、ＡＴ１１５は、ワイヤレスリンクを介して他の適宜に構成されたデバイスと通信するためのトランシーバモジュール５１０および／または通信管理サブシステム５４０の一部として実装されたＯＯＢインターフェース（たとえば、動作中に比較的低い電力量を消費し得、および／または帯域内スペクトル中よりも生じる干渉が少なくなり得るトランシーバ）をも含み得る。好適なＯＯＢ通信インターフェースの一例は、時分割複信（ＴＤＤ）方式を使用するブルートゥース対応トランシーバである。Ｚｉｇｂｅｅ準拠トランシーバのような他の例が、上述されている。
【００８７】
図６に注目を向けて、フローチャートは、ピコネット上で拡張されたクライアントセットを取り扱うための例示的な方法６００について示される。方法６００は、フェムトプロキシシステム２９０アーキテクチャのコンテキストにおいて動作し得る。例えば、フェムトプロキシシステム２９０は、フェムトセルカバレッジエリア内でＡＴ１１５にＷＷＡＮ（マクロ）通信サービスを提供するためのＦＡＰ２３０を含む。フェムトプロキシシステム２９０は、さらにＯＯＢピコネットのマスタとして動作するように、特に、構成されたフェムトプロキシモジュール２４０を含む。
【００８８】
ＡＴ１１５のセットがＦＡＰ２３０に所属し、そのマスタとしてフェムトプロキシモジュール２４０を有するＯＯＢピコネットのスレーブである、コンテキストのために仮定され得る。各ＡＴ１１５は、アクティブなＷＷＡＮモードまたはアイドルのＷＷＡＮモードのいずれかのＷＷＡＮ上で動作し、接続されたＯＯＢモードまたはインアクティブなＯＯＢモードの何れかのピコネット上で動作するように構成される。制限された数のＡＴ１１５が接続ＯＯＢモードにおいて同時に動作し、（例えば、概してさらに制限されるけれども）より多くの数のＡＴ１１５がインアクティブＯＯＢモード（例えば、ブルートゥース「パーク」モード）において同時に動作し得る。
【００８９】
ステージ６０５で、ワイヤレス広域ネットワーク（ＷＷＡＮ）通信は、フェムトセル上に留まる指定されたＡＴ１１５のためのフェムトプロキシシステム２９０で受信される（つまり、フェムトプロキシシステムと通信可能に接続される）。指定されるＡＴ１１５が既にＷＷＡＮアクティブモードおよび／またはＯＯＢ接続モードである場合、ＡＴ１１５は、ＦＡＰ２３０またはフェムトプロキシモジュール２４０を介して通信情報を単に受信し得る。ステージ６１０で、決定は、インアクティブなＯＯＢ物理通信リンク（例えば、ＡＴ１１５がパークされる）を備えるＯＯＢインアクティブモードにおいて動作しているかどうか関して行われる。
【００９０】
ステージ６１０で、指定されたＡＴ１１５がＯＯＢインアクティブモードではない（つまり、指定されたＡＴ１１５が既にＯＯＢ接続モード内である）ことが決定された場合、方法６００は、アクティブなＯＯＢ物理通信リンクを通じてフェムトプロキシシステム２９０から指定されたＡＴ１１５に通信情報を配信することによってステージ６２５に続き得る。ステージ６１０で、指定されたＡＴ１１５がＯＯＢインアクティブモードであることが決定された場合、指定されたＡＴ１１５は、ステージ６１５でＯＯＢ接続モードにおいて動作するように指示され得る。例えば、アンパークリクエストは、フェムトプロキシモジュール２４０によってＡＴ１１５パークメンバーアドレスに送られ得る。ある場合において、受諾応答は、フェムトプロキシモジュール２４０でＡＴ１１５からその後に受信され得る。
【００９１】
ステージ６２０で、アクティブなＯＯＢ物理通信リンクは、フェムトプロキシシステムおよび指定されたアクセス端末の間で確立され得る。これはアクティブな物理リンクに現在のパーク物理リンクをチャレンジすることと、デフォルトＡＣＬを再作成することとを含み得る。さらに、再作成されたデフォルトＡＣＬは、以前にパークプロシージャの間に一時中断された任意のＬ２ＣＡＰと関連付けられ得る。ある場合において、方法６００は、アクティブなＯＯＢ物理通信リンクを通じてフェムトプロキシシステム２９０から指定されたＡＴ１１５に通信情報を送ることによって、ステージ６２５に続く。
【００９２】
以上で議論されるように、例えば、ピコネット上のスレーブＡＴ１１５の数が同時に許容されたアクティブスレーブの所定の最大数より大きい場合、ある技術は、拡張されたクライアントセットを取り扱うために使用され得る。図７Ａおよび７Ｂは、このタイプのコンテキストにおいて拡張されたピコネットクライアントセットを取り扱うための例示的な方法７００のフローチャートを示す。例えば、ピコネットは、ピコネット上の許容される同時のアクティブスレーブＡＴ１１５の最大数をそれによって制限する、同時のアクティブスレーブＡＴ１１５のための制限されたアドレッシング空間のみをサポートする。
【００９３】
方法７００は、図６の方法６００のコンテキストにおいて動作し得る。例えば、追加の方法７００のステージは、（参照のために破線ボックスで示される）図６の方法６００のステージ６０５、６１０および６１５のコンテキストにおいて示される。したがって、方法７００のコンテキストは、ステージ６０５および６１０で開始し得る。ここで、ＷＷＡＮ通信がフェムトセル上に留まる指定されたＡＴ１１５のためのフェムトプロキシシステムで受信され、指定されたＡＴ１１５は、それぞれ、インアクティブなＯＯＢ物理通信リンクを備えたＯＯＢインアクティブモードにおいて動作しているべきであると決定される。例えば、ステージ６１０で、指定されたＡＴ１１５がＯＯＢインアクティブモードではない（つまり、既にＯＯＢ接続モードである）ことが決定された場合には、方法７００ａは、図６の方法６００に関連して以上で説明したように進み得る。
【００９４】
ステージ７０５で、図７Ａで示される方法７００ａの第１の部分を参照して、決定は、所定の最大数のアクセス端末がピコネット上でＯＯＢ接続モードにおいて同時に動作するか（例えば、同時のアクティブスレーブＡＴ１１５の最大数がどうかで現在動作しているかどうかに関してなされる、ピコネット（例えば、同時にアクティブなスレーブＡＴ  １１５の最大値に到達したがどうか）について行われる。以上で説明されるように、この所定最大数は、概して、ＯＯＢ仕様書によって許容されたアクティブメンバーアドレスの数より少なく（例えば、１だけ少なく）なり得る。そうでなければ、方法７００は、（例えば、図６の方法６００のステージ６１５にあるような）ステージ６１５ａでＯＯＢ接続モードにおいて動作するように指定されたアクセス端末に指示し得る。
【００９５】
決定が所定の最大数のアクセス端末がピコネット上でＯＯＢ接続モードにおいて同時に動作しているとステージ７０５で行われると、別の決定は、任意のアクセス端末がＯＯＢ接続モードおよびＷＷＡＮアイドルモードの両方で同時に動作するかについて、ステージ７１０で、行われ得る。例えば、これは、ピコネット上でブルートゥース接続モードのうちの１つで（例えば、「スニフ」または「アクティブ」モードで）動作しているが、ＷＷＡＮ（例えば、「アイドル」モードで）現在アクティブでないＡＴ１１５であり得る。識別されたアクセス端末がＯＯＢ接続モードおよびＷＷＡＮアイドルモードの両方において現在動作しているとの決定が、ステージ７１０で行われる場合、所定の最大数のアクセス端末が現在ＯＯＢ接続モードでもはや動作していないので、識別された（例えば、「アイドル」）アクセス端末は、ステージ７１５で、ＯＯＢインアクティブモードにおいて動作するように指示され得る。例えば、フェムトプロキシモジュール２４０は、識別されたＡＴ１１５をパークするためにパークプロシージャを開始するので、アクティブメンバーアドレスのうちの１つを開放する。アクティブメンバーアドレスのうちの１つを解放して、方法７００は、指定されたアクセス端末にステージ６１５ａでＯＯＢ接続モードにおいて動作するようにここで指示し得る。
【００９６】
識別されたアクセス端末がＯＯＢ接続モードおよびＷＷＡＮアイドルモードの両方で全く動作していないとの決定が、ステージ７１０で行われた場合、方法７００は、（オフページ参照「Ａ」によって示されるように）図７Ｂで示される方法７００ｂの第２の部分によって説明されるように進み得る。ステージ７２０では、識別されたアクセス端末は、オープンアクティブメンバーアドレスを使用して、ＯＯＢ接続モード（ＯＯＢ「アクティブ」モード）において動作するように指示され得る。例えば、ピコネット上でＯＯＢ接続モードにおいて現在動作する所定の最大数のアクセス端末は、少なくとも１つのアクティブメンバーアドレスがステージ７２０においてオープンアクティブメンバーアドレスとして設定され得る。
【００９７】
ステージ７２５では、識別されたアクセス端末は、ＷＷＡＮ通信情報について通知され得る。ステージ７３０では、ＷＷＡＮ通信情報についてアクセス端末に通知して、識別されたアクセス端末は、ＯＯＢインアクティブモードで動作するように指示され、ステージ７２０において使用されるアクティブメンバーアドレスが回復し得る。アクティブメンバーアドレスの予約は、例えば、方法７００によって説明される方法７００によって説明されたもののような技術に従うインアクティブＡＴ１１５と通信することを含み得るレイテンシを低減し得る。
【００９８】
他の技術は、ＡＴ１１５との通信において複数のＯＯＢモードおよびＷＷＡＮモードを利用することに関連してレイテンシ（例えば、または他のペナルティー）をさらに低減するように使用され得る。図８は、ＡＴ１１５およびフェムトプロキシシステムの間のこのタイプのコンテキストにおいて取り扱う拡張ピコネットクライアントセットのコンテキストにおいて最小および／または共有モードスイッチングペナルティーのための例示の方法８００のフローチャートを示す。ステージ８０５では、フェムトプロキシシステムに所属するアクセス端末の数がフェムトプロキシピコネット上で許容される所定の最大数のＯＯＢ接続クライアント以上であるかの決定が行われる。フェムトプロキシピコネット上で許容される所定の最大数のＯＯＢ接続クライアントに届いていないまたは超えていないことがステージ８０５で決定された場合、（例えば、フェムトプロキシシステム２９０に所属するＷＷＡＮアクティブおよびアイドルＡＴ１１５の両方の）全てのアクセス端末クライアントは、ステージ８２０でＯＯＢ接続モードを維持し得る。ＯＯＢ接続モードにＡＴ１１５を維持することが可能ならばいつでも他のインアクティブクライアントをアクティブにすることに関連する非効率性を最小化し得る。
【００９９】
ステージ８０５で、フェムトプロキシピコネット上で許容される処置の最大数のＯＯＢ接続クライアントに到達したまたは超えたことが決定された場合、ステージ８１０でＷＷＡＮアクティブアクセス端末の数がフェムトプロキシピコネット上で許容される所定の最大数のＯＯＢ接続クライアント以上であるかについての決定が行われ得る。ステージ８１０で、ＷＷＡＮアクティブアクセス端末の数がフェムトプロキシピコネット上で許容される所定の最大数のＯＯＢ接続クライアント以上であると決定された場合、ＯＯＢフェムトプロキシは、ステージ８１５によって示されるように、１つまたは複数のアクセス端末がピコネットを離れる（例えば、ＯＯＢ「パーク」モードになる）までクライアントとして任意の追加のアクセス端末を認めることを許さないだろう。ステージ８１０で、ＷＷＡＮアクティブアクセス端末の数がフェムトプロキシピコネット上で許容される所定の最大数のＯＯＢ接続クライアント未満であると決定された場合、ステージ８２５で、ＷＷＡＮアイドルアクセス端末のうちの１つは、ＯＯＢインアクティブモード（例えば、ＯＯＢ「パーク」モード）で動作するように指示される一方、他のＷＷＡＮアクティブおよびアイドルアクセス端末は、ＯＯＢ接続モードを維持する。
【０１００】
いくつかの実施形態において、方法８００がステージ８１５で動作し（つまり、ＷＷＡＮアクティブアクセス端末の数がフェムトプロキシピコネット上で許容される所定の最大数のＯＯＢ接続クライアント以上であり）、アクセス端末のうちの１つがＷＷＡＮ上でインアクティブ（例えば、アイドル）になる場合、方法８００は、ＯＯＢインアクティブモードで動作するＷＷＡＮアクセス端末のうちの今現在アイドルである１つを指示することによってステージ８２５に進み得る。ステージ８２０に従ってＯＯＢ接続モードにおいて維持されるすべてのアクティブおよびインアクティブクライアントを有する、またはステージ８２５に従ってＯＯＢインアクティブモードにおいて指示するためにＷＷＡＮアイドルクライアントのうちの指示される少なくとも１つを有するならば、フェムトプロキシは、クライアントとして追加のアクセス端末を認めるように許容される状態で動作することになる。そのため、方法８００は、これらの状態変化として異なる状態における異なるクライアント端末をどのように取り扱うか決定し続けるためにステージ８０５に戻り得る。
【０１０１】
上記で説明した方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、様々な（１つまたは複数の）ハードウェアおよび／またはソフトウェア構成要素および／またはモジュールを含み得る。
【０１０２】
様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、個別ゲートまたはトランジスタ論理、個別ハードウェア構成要素、あるいは本明細書で説明した機能を実行するように設計されたそれらの任意の組合せを用いて実装または実行できる。汎用プロセッサはマイクロプロセッサとすることができるが、代替として、プロセッサは、任意の市販のプロセッサ、コントローラ、マイクロコントローラ、または状態機械とすることができる。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもできる。
【０１０３】
本開示に関連して説明した方法またはアルゴリズムのステップは、直接ハードウェアか、プロセッサによって実行されるソフトウェアモジュールか、またはその２つの組合せで実施できる。ソフトウェアモジュールは、任意の形態の有形記憶媒体中に常駐し得る。使用できる記憶媒体のいくつかの例には、ランダムアクセスメモリ（ＲＡＭ）、読取り専用メモリ（ＲＯＭ）、フラッシュメモリ、ＥＰＲＯＭメモリ、ＥＥＰＲＯＭメモリ、レジスタ、ハードディスク、リムーバブルディスク、ＣＤ−ＲＯＭなどがある。記憶媒体は、プロセッサがその記憶媒体から情報を読み取ることができ、その記憶媒体に情報を書き込むことができるように、プロセッサに結合できる。代替として、記憶媒体はプロセッサに一体化することができる。ソフトウェアモジュールは、単一の命令または複数の命令であることができ、複数の異なるコード・セグメント上で、異なるプログラムの間で、および複数の記憶媒体にまたがって分散させることができる。
【０１０４】
本明細書で開示する方法は、説明した方法を達成するための１つまたは複数のアクションを備える。方法および／またはアクションは、特許請求の範囲から逸脱することなく互いに交換することができる。言い換えれば、アクションの特定の順序が指定されない限り、特定のアクションの順序および／または使用は特許請求の範囲から逸脱することなく変更できる。
【０１０５】
説明した機能は、ハードウェア、ソフトウェア、ファームウェア、またはそれらの組合せで実装できる。ソフトウェアで実装する場合、機能は１つまたは複数の命令として有形コンピュータ可読媒体に記憶され得る。記憶媒体は、コンピュータによってアクセスされ得る任意の利用可能な有形媒体であり得る。限定ではなく、例として、そのようなコンピュータ可読媒体は、ＲＡＭ、ＲＯＭ、ＥＥＰＲＯＭ、ＣＤ−ＲＯＭ、または他の光ディスクストレージ、磁気ディスクストレージ、または他の磁気ストレージデバイス、あるいは命令またはデータ構造の形態の所望のプログラムコードを搬送または記憶するために使用され得、コンピュータによってアクセスされ得る、任意の他の有形媒体を備えることができる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザで光学的に再生する。
【０１０６】
したがって、コンピュータプログラム製品は、本明細書で提示する動作を実行し得る。たとえば、そのようなコンピュータプログラム製品は、本明細書で説明した動作を実行するために１つまたは複数のプロセッサによって実行可能である命令を有形に記憶（および／または符号化）したコンピュータ可読有形媒体であり得る。いくつかの態様では、コンピュータプログラム製品はパッケージング材料を含み得る。
【０１０７】
ソフトウェアまたは命令はまた、送信媒体を介して送信できる。たとえば、ソフトウェアが、同軸ケーブル、光ファイバケーブル、ツイストペア、デジタル加入者回線（ＤＳＬ）、または赤外線、無線などのワイヤレス技術のような送信媒体を使用して、ウェブサイト、サーバ、または他のリモートソースから送信され得る。
【０１０８】
さらに、本明細書に記載の方法および技法を実行するためのモジュールおよび／または他の適切な手段は、適用可能な場合にユーザ端末および／または基地局によってダウンロードおよび／または他の方法で取得できる。たとえば、本明細書で説明した方法を実行するための手段の転送を可能にするために、そのようなデバイスをサーバに結合することができる。代替的に、本明細書で説明される様々な方法は、ユーザ端末および／または基地局がストレージ手段をデバイスに結合するかまたは与えると様々な方法を得ることができるように、ストレージ手段（たとえば、ＲＡＭ、ＲＯＭ、コンパクトディスク（ＣＤ）またはフロッピーディスクなど物理記憶媒体など）によって提供できる。さらに、本明細書で説明する方法および技法をデバイスに与えるための任意の他の適切な技法を利用することができる。
【０１０９】
他の例示および実施は、本明細書および添付の特許請求の範囲の範囲および精神内である。例えば、ソフトウェアの性質のために、以上で説明された機能は、プロセッサ、ハードウェア、ファームウェア、ハード配線これらのうちのいずれかのファームウェア、ハード配線、またはこれらの任意の組み合わせによって実施されるソフトウェアを使用して実施されることができる。特徴実施機能は、さらに機能の部分が異なる物理位置で実施されるように分散されることを含む、様々な位置で物理的に位置され得る。また、本明細書で使用され、特許請求の範囲に含まれる、「少なくとも１つの」によって前置きされた事項のリストに使用されるような「または（あるいは）」は、例えば、「Ａ、Ｂ、またはＣのうちの少なくとも１つ」がＡまたはＢまたはＣまたはＡＢまたはＡＣまたはＢＣまたはＡＢＣ（つまりＡおよびＢおよびＣ）を意味するような離接的なリストを意味する。さらに、用語「例示的」は、説明される例示が他の例示より好まれるあるいはより良いことを意味するものではない。
【０１１０】
本明細書に説明された本教示の技術に対する様々な変更、置換および改変は、添付の特許請求の範囲によって定義される技術から逸脱することなく行われることができる。さらに、本出願の範囲は、本明細書で説明するプロセス、機械、製造、組成物、手段、方法および上記で説明されるアクションの特定の態様に限定されるものではない。本明細書で説明する対応する態様と実質的に同じ機能を実行するか、または実質的に同じ結果を達成する、現存するかまたは後で開発される、プロセス、機械、製造、組成物、手段、方法、またはステップは本教示に従って利用され得る。したがって、添付の特許請求の範囲は、それらの範囲内にそのようなプロセス、機械、製造、組成物、手段、方法、またはステップを含むものとする。
【図１】
2013538537.tif 000003
【図２Ａ】
2013538537.tif 000004
【図２Ｂ】
2013538537.tif 000005
【図３】
2013538537.tif 000006
【図４Ａ】
2013538537.tif 000007
【図４Ｂ】
2013538537.tif 000008
【図５】
2013538537.tif 000009
【図６】
2013538537.tif 000010
【図７Ａ】
2013538537.tif 000011
【図７Ｂ】
2013538537.tif 000012
【図８】
2013538537.tif 000013
【国際調査報告】
2013538537.tif 000014
2013538537.tif 000015